(57)【要約】【課題】特別な日の思い出として残すのに相応しい写真シールを作成することが可能な写真撮影遊戯機、写真撮影遊戯機用制御プログラム、及び写真撮影遊戯機の制御方法を提供する。【解決手段】写真撮影遊戯機１は、複数のテーマに対応する複数の背景画像セットの中から１つの背景画像セットを利用者の操作に応じて選択する選択手段と、選択された背景画像セットに応じて特別合成用画像を決定する特別合成用画像決定手段と、を備える。写真撮影遊戯機１は、さらに、各撮影手段により生成された各写真画像から被写体画像を生成する抽出手段と、背景画像セット中の通常背景画像及び被写体画像から通常合成画像を生成する合成手段と、シートデザイン画像の特別領域上に特別合成用画像と被写体画像とを合成・配置し、シートデザイン画像の通常領域上に通常合成画像を配置してシート画像を生成するシート画像生成手段と、シート画像をシール紙に印刷する印刷手段と、を備える。【選択図】図１６
2015037308.tif 000002
【特許請求の範囲】
【請求項１】
カメラと、
複数のテーマに対応して設定され、各々が複数の通常背景画像を含む複数の背景画像セットの中から１つの背景画像セットを利用者の操作に応じて選択する選択手段と、
前記選択手段により選択された背景画像セットに応じて、予め定められた複数の特別合成用画像の中から１つの特別合成用画像を決定する特別合成用画像決定手段と、
前記カメラを制御し、被写体を撮影して複数の通常写真画像を生成する通常撮影手段と、
前記カメラを制御し、被写体を撮影して特別写真画像を生成する特別撮影手段と、
前記通常撮影手段及び前記特別撮影手段により生成された複数の通常写真画像及び特別写真画像から被写体の領域を抽出して複数の被写体画像を生成する抽出手段と、
前記選択手段により選択された背景画像セットに含まれる複数の通常背景画像と前記抽出手段により複数の通常写真画像から抽出された複数の被写体画像とをそれぞれ合成して複数の通常合成画像を生成する合成手段と、
通常領域と特別領域とを含むシートデザイン画像内の特別領域上に前記特別合成用画像決定手段により決定された特別合成用画像と前記抽出手段により特別写真画像から抽出された被写体画像とを合成・配置するとともに前記シートデザイン画像内の通常領域上に前記合成手段により合成された複数の通常合成画像を配置してシート画像を生成するシート画像生成手段と、
前記シート画像生成手段により生成されたシート画像をシール紙に印刷する印刷手段と、
を備える、写真撮影遊戯機。
【請求項２】
請求項１に記載の写真撮影遊戯機であって、
前記シートデザイン画像は、横よりも縦が長い長方形をなし、
前記特別領域は、前記シートデザイン画像上で前記通常領域よりも上方に位置する、写真撮影遊戯機。
【請求項３】
請求項１又は２に記載の写真撮影遊戯機であって、
前記特別合成用画像は、前記被写体画像の前景に合成される装飾画像を含む、写真撮影遊戯機。
【請求項４】
請求項３に記載の写真撮影遊戯機であって、
前記装飾画像は、吹き出し画像を含み、
前記吹き出し画像のうち前記被写体画像上に配置される部分は透過性である、写真撮影遊戯機。
【請求項５】
請求項１から４のいずれか１項に記載の写真撮影遊戯機であって、さらに、
利用者の操作に応じて、複数の利用者名の入力を受け付ける名前入力手段、を備え、
前記シート画像生成手段は、前記名前入力手段で入力された複数の利用者名を含む名前画像を前記シートデザイン画像上に配置する、写真撮影遊戯機。
【請求項６】
請求項５に記載の写真撮影遊戯機であって、
前記テーマは、誕生日を含み、
前記写真撮影遊戯機は、さらに、
前記選択手段が誕生日に対応して設定された背景画像セットを選択した場合、利用者の操作に応じて、前記名前入力手段で入力された複数の利用者名の中から少なくとも１つの利用者名を選択する名前選択手段、を備え、
前記シート画像生成手段は、前記名前選択手段により選択された利用者名を含むメッセージ画像を前記シートデザイン画像上に配置する、写真撮影遊戯機。
【請求項７】
請求項５に記載の写真撮影遊戯機であって、
前記テーマは、誕生日を含み、
前記名前入力手段は、前記選択手段が誕生日に対応して設定された背景画像セットを選択した場合、利用者の操作に応じて、入力された利用者名以外の第三者名の入力を受け付け、
前記シート画像生成手段は、前記名前入力手段で入力された第三者名を含むメッセージ画像を前記シートデザイン画像上に配置する、写真撮影遊戯機。
【請求項８】
請求項１から７のいずれか１項に記載の写真撮影遊戯機であって、さらに、
利用者の操作に応じて、日付の入力を受け付ける日付入力手段、を備え、
前記シート画像生成手段は、前記日付入力手段で入力された日付を含む日付画像を前記シートデザイン画像上に配置する、写真撮影遊戯機。
【請求項９】
請求項８に記載の写真撮影遊戯機であって、
前記日付入力手段は、入力されるべき日付として現在の日付を予め設定する、写真撮影遊戯機。
【請求項１０】
請求項１から９のいずれか１項に記載の写真撮影遊戯機であって、さらに、
前記通常写真画像に対する編集を受け付け、前記特別写真画像に対する編集を受け付けない編集手段を備える、写真撮影遊戯機。
【請求項１１】
請求項１から１０のいずれか１項に記載の写真撮影遊戯機であって、さらに、
前記選択手段により選択された背景画像セットに応じて、複数のシートデザイン画像の中から１つのシートデザイン画像を自動的に決定するシートデザイン決定手段、を備える写真撮影遊戯機。
【請求項１２】
複数のテーマに対応して設定され、各々が複数の通常背景画像を含む複数の背景画像セットの中から１つの背景画像セットを利用者の操作に応じて選択する選択ステップと、
前記選択ステップにより選択された背景画像セットに応じて、予め定められた複数の特別合成用画像の中から１つの特別合成用画像を決定する特別合成用画像決定ステップと、
カメラを制御し、被写体を撮影して複数の通常写真画像を生成する通常撮影ステップと、
前記カメラを制御し、被写体を撮影して特別写真画像を生成する特別撮影ステップと、
前記通常撮影ステップ及び前記特別撮影ステップにより生成された複数の通常写真画像及び特別写真画像から被写体の領域を抽出して複数の被写体画像を生成する抽出ステップと、
前記選択ステップにより選択された背景画像セットに含まれる複数の通常背景画像と前記抽出ステップにより複数の通常写真画像から抽出された複数の被写体画像とをそれぞれ合成して複数の通常合成画像を生成する合成ステップと、
通常領域と特別領域とを含むシートデザイン画像内の特別領域上に前記特別合成用画像決定ステップにより決定された特別合成用画像と前記抽出ステップにより特別写真画像から抽出された被写体画像とを合成・配置するとともに前記シートデザイン画像内の通常領域上に前記合成ステップにより合成された複数の通常合成画像を配置してシート画像を生成するシート画像生成ステップと、
前記シート画像生成ステップにより生成されたシート画像をシール紙に印刷する印刷ステップと、
をコンピュータに実行させる、写真撮影遊戯機用制御プログラム。
【請求項１３】
複数のテーマに対応して設定され、各々が複数の通常背景画像を含む複数の背景画像セットの中から１つの背景画像セットを利用者の操作に応じて選択する選択ステップと、
前記選択ステップにより選択された背景画像セットに応じて、予め定められた複数の特別合成用画像の中から１つの特別合成用画像を決定する特別合成用画像決定ステップと、
前記カメラを制御し、被写体を撮影して複数の通常写真画像を生成する通常撮影ステップと、
前記カメラを制御し、被写体を撮影して特別写真画像を生成する特別撮影ステップと、
前記通常撮影ステップ及び前記特別撮影ステップにより生成された複数の通常写真画像及び特別写真画像から被写体の領域を抽出して複数の被写体画像を生成する抽出ステップと、
前記選択ステップにより選択された背景画像セットに含まれる複数の通常背景画像と前記抽出ステップにより複数の通常写真画像から抽出された複数の被写体画像とをそれぞれ合成して複数の通常合成画像を生成する合成ステップと、
通常領域と特別領域とを含むシートデザイン画像内の特別領域上に前記特別合成用画像決定ステップにより決定された特別合成用画像と前記抽出ステップにより特別写真画像から抽出された被写体画像とを合成・配置するとともに前記シートデザイン画像内の通常領域上に前記合成ステップにより合成された複数の通常合成画像を配置してシート画像を生成するシート画像生成ステップと、
前記シート画像生成ステップにより生成されたシート画像をシール紙に印刷する印刷ステップと、
を備える、写真撮影遊戯機の制御方法。
【発明の詳細な説明】
【技術分野】
【０００１】
本発明は、写真撮影遊戯機、写真撮影遊戯機用制御プログラム、及び写真撮影遊戯機の制御方法に関する。
【背景技術】
【０００２】
従来、写真撮影遊戯機で作成される写真シールのレイアウトとしては、例えば、８分割や１６分割等と称されるもの等、撮影及び編集された複数の写真画像をシート上に均等に配置するものが一般的であった。写真撮影遊戯機の利用者は、このようなレイアウトの写真シールを写真画像毎に切り分け、友人間で交換を行っていた。
【０００３】
しかしながら、近年、携帯電話やスマートフォン等の端末装置が普及し、また、ブログやソーシャル・ネットワーキング・サービス（ＳＮＳ）等のサービスを利用したコミュニケーションが増加している。このような端末装置及びサービスでは、写真撮影遊戯機で作成されたデジタル画像が頻繁に利用される。
【０００４】
このような状況の下、写真シールについても、写真画像毎に切り分けられずに保管されることが多くなっており、写真シール全体としてのデザイン性を向上させることが求められるようになった。デザイン性を高めた写真シールは、デザインシートと称されることがある。
【０００５】
例えば、特許文献１には、デザインシートを作成する写真撮影遊戯機が開示されている。特許文献１の写真撮影遊戯機は、利用者が選択した１枚の編集済み画像をシート上に縦横比を１．２：１として拡大配置するとともに、シート上の編集済み画像領域外に、選択された編集済み画像に応じて決定したデザイン画像を配置することによって、デザインシートを作成する。また、特許文献１の写真撮影遊戯機は、利用者が選択した編集済み画像をさらに拡大してシート上に配置することによって、「記念日分割」と称されるレイアウトのデザインシートを作成する。
【０００６】
特許文献２には、シート上に配置される合成画像のうち最もサイズが大きいコラージュ合成画像の背景画像に基づいて、シートレイアウトを決定することが開示されている。特許文献２のシートレイアウトでは、コラージュ合成画像はその他の合成画像の上方に配置される。
【０００７】
特許文献３には、コラージュ合成画像用のレイアウト画像上に、コラージュ合成画像用に撮影された写真画像だけでなく、その他の写真画像を配置することによって、コラージュ合成画像を生成することが開示されている。
【０００８】
特許文献４には、利用者が入力した名前等の文字列画像を含むコラージュ合成画像を生成することが開示されている。
【先行技術文献】
【特許文献】
【０００９】
【特許文献１】特開２０１２−２３７９５６号公報
【特許文献２】特開２０１３−４２３１４号公報
【特許文献３】特開２０１２−４２７３４号公報
【特許文献４】特開２０１２−１５９８２４号公報
【発明の概要】
【発明が解決しようとする課題】
【００１０】
ところで、写真撮影遊戯機は、例えば誕生日やその他の記念日等の特別な日に、写真シールを思い出として残すために利用されることがある。しかしながら、上述したような特許文献１〜４の写真撮影遊戯機によって作成される写真シールは、ある程度特徴的なデザインを有するものの、特別な日の思い出として残す１枚として利用者を十分に満足させるものということはできなかった。
【００１１】
そこで、本発明は、特別な日の思い出として残すのに相応しい写真シールを作成することが可能な写真撮影遊戯機、写真撮影遊戯機用制御プログラム、及び写真撮影遊戯機の制御方法を提供することを課題とする。
【課題を解決するための手段】
【００１２】
本発明に係る写真撮影遊戯機は、上記課題を解決するためのものであり、カメラと、複数のテーマに対応して設定され、各々が複数の通常背景画像を含む複数の背景画像セットの中から１つの背景画像セットを利用者の操作に応じて選択する選択手段と、選択手段により選択された背景画像セットに応じて、予め定められた複数の特別合成用画像の中から１つの特別合成用画像を決定する特別合成用画像定手段と、カメラを制御し、被写体を撮影して複数の通常写真画像を生成する通常撮影手段と、カメラを制御し、被写体を撮影して特別写真画像を生成する特別撮影手段と、通常撮影手段及び特別撮影手段により生成された複数の通常写真画像及び特別写真画像から被写体の領域を抽出して複数の被写体画像を生成する抽出手段と、選択手段により選択された背景画像セットに含まれる複数の通常背景画像と抽出手段により複数の通常写真画像から抽出された複数の被写体画像とをそれぞれ合成して複数の通常合成画像を生成する合成手段と、通常領域と特別領域とを含むシートデザイン画像内の特別領域上に特別合成用画像決定手段により決定された特別合成用画像と抽出手段により特別写真画像から抽出された被写体画像とを合成・配置するとともにシートデザイン画像内の通常領域上に合成手段により合成された複数の通常合成画像を配置してシート画像を生成するシート画像生成手段と、シート画像生成手段により生成されたシート画像をシール紙に印刷する印刷手段とを備える。
【００１３】
上記写真撮影遊戯機は、利用者の操作に応じて１つの背景画像セットを選択し、選択された背景画像セットに応じて特別合成用画像を決定する。このため、上記写真撮影遊戯機によれば、全体的に統一感を有し、デザイン性に優れた写真シールを容易に作成することができる。このような写真シールは、誕生日やその他の記念日等、特別な日の思い出として残すのに相応しく、特別な日に写真撮影遊戯機を利用する利用者を十分に満足させることができる。
【００１４】
上記写真撮影遊戯機において、シートデザイン画像は、横よりも縦が長い長方形をなし、特別領域は、シートデザイン画像上で通常領域よりも上方に位置していてもよい。
【００１５】
上記写真撮影遊戯機において、特別合成用画像は、被写体画像の前景に合成される装飾画像を含んでいてもよい。この構成によれば、装飾画像が浮いたように見える合成画像を生成することができ、写真シールのデザイン性をより向上させることができる。
【００１６】
上記装飾画像は、吹き出し画像を含み、吹き出し画像のうち被写体画像上に配置される部分は透過性とすることができる。このようにすることで、作成された写真シールにおいて、吹き出し画像を透かして被写体画像を見ることができ、吹き出し画像が浮いたように見える。このため、写真シールのデザイン性をより向上させることができる。
【００１７】
上記写真撮影遊戯機は、さらに、利用者の操作に応じて、複数の利用者名の入力を受け付ける名前入力手段を備え、シート画像生成手段は、名前入力手段で入力された複数の利用者名を含む名前画像をシートデザイン画像上に配置するよう構成されていてもよい。この構成によれば、利用者が入力した利用者名を写真シールに反映させることができるため、写真シールの独自性を高めることができる。
【００１８】
上記テーマが誕生日を含む場合、写真撮影遊戯機は、さらに、選択手段が誕生日に対応して設定された背景画像セットを選択したときに、利用者の操作に応じて、名前入力手段で入力された複数の利用者名の中から少なくとも１つの利用者名を選択する名前選択手段を備え、シート画像生成手段は、名前選択手段により選択された利用者名を含むメッセージ画像をシートデザイン画像上に配置するよう構成されていてもよい。この構成によれば、特定の利用者に宛てたメッセージを含んだ写真シールを作成することができ、写真シールの独自性を高めることができる。
【００１９】
また、上記テーマが誕生日を含む場合、名前入力手段は、選択手段が誕生日に対応して設定された背景画像セットを選択したときに、利用者の操作に応じて、入力された利用者名以外の第三者名の入力を受け付け、シート画像生成手段は、名前入力手段で入力された第三者名を含むメッセージ画像をシートデザイン画像上に配置するよう構成されていてもよい。この構成によれば、利用者以外の第三者に宛てたメッセージを含んだ写真シールを作成することができ、写真シールの独自性を高めることができる。
【００２０】
上記写真撮影遊戯機は、さらに、利用者の操作に応じて、日付の入力を受け付ける日付入力手段を備え、シート画像生成手段は、日付入力手段で入力された日付を含む日付画像をシートデザイン画像上に配置するよう構成されていてもよい。この構成によれば、利用者が自由に入力した日付を写真シールに反映させることができるため、写真シールの独自性を高めることができる。
【００２１】
上記日付入力手段は、入力されるべき日付として現在の日付を予め設定するよう構成されていてもよい。この構成によれば、誕生日やその他の記念日の当日に写真シールを作成する場合、日付入力の手間を省くことができる。
【００２２】
上記写真撮影遊戯機は、さらに、通常写真画像に対する編集を受け付け、特別写真画像に対する編集を受け付けない編集手段を備えることができる。この構成によれば、利用者の編集操作によって写真シールのデザイン性が損なわれるのを防止することができ、写真シール全体のデザイン性を維持することができる。
【００２３】
上記写真撮影遊戯機は、さらに、選択手段により選択された背景画像セットに応じて、複数のシートデザイン画像の中から１つのシートデザイン画像を自動的に決定するシートデザイン決定手段を備えていてもよい。この構成によれば、選択された背景画像セットに適したシートデザイン画像が決定されるため、背景画像セットとシートデザイン画像との統一性を高めることができ、写真シール全体としてのデザイン性をさらに向上させることができる。
【００２４】
本発明に係る写真撮影遊戯機用制御プログラムは、複数のテーマに対応して設定され、各々が複数の通常背景画像を含む複数の背景画像セットの中から１つの背景画像セットを利用者の操作に応じて選択する選択ステップと、選択ステップにより選択された背景画像セットに応じて、予め定められた複数の特別合成用画像の中から１つの特別合成用画像を決定する特別合成用画像決定ステップと、カメラを制御し、被写体を撮影して複数の通常写真画像を生成する通常撮影ステップと、カメラを制御し、被写体を撮影して特別写真画像を生成する特別撮影ステップと、通常撮影ステップ及び特別撮影ステップにより生成された複数の通常写真画像及び特別写真画像から被写体の領域を抽出して複数の被写体画像を生成する抽出ステップと、選択ステップにより選択された背景画像セットに含まれる複数の通常背景画像と抽出ステップにより複数の通常写真画像から抽出された複数の被写体画像とをそれぞれ合成して複数の通常合成画像を生成する合成ステップと、通常領域と特別領域とを含むシートデザイン画像内の特別領域上に特別合成用画像決定ステップにより決定された特別合成用画像と抽出ステップにより特別写真画像から抽出された被写体画像とを合成・配置するとともにシートデザイン画像内の通常領域上に合成ステップにより合成された複数の通常合成画像を配置してシート画像を生成するシート画像生成ステップと、シート画像生成ステップにより生成されたシート画像をシール紙に印刷する印刷ステップとをコンピュータに実行させる。
【００２５】
本発明に係る写真撮影遊戯機の制御方法は、複数のテーマに対応して設定され、各々が複数の通常背景画像を含む複数の背景画像セットの中から１つの背景画像セットを利用者の操作に応じて選択する選択ステップと、選択ステップにより選択された背景画像セットに応じて、予め定められた複数の特別合成用画像の中から１つの特別合成用画像を決定する特別合成用画像決定ステップと、カメラを制御し、被写体を撮影して複数の通常写真画像を生成する通常撮影ステップと、カメラを制御し、被写体を撮影して特別写真画像を生成する特別撮影ステップと、通常撮影ステップ及び特別撮影ステップにより生成された複数の通常写真画像及び特別写真画像から被写体の領域を抽出して複数の被写体画像を生成する抽出ステップと、選択ステップにより選択された背景画像セットに含まれる複数の通常背景画像と抽出ステップにより複数の通常写真画像から抽出された複数の被写体画像とをそれぞれ合成して複数の通常合成画像を生成する合成ステップと、通常領域と特別領域とを含むシートデザイン画像内の特別領域上に特別合成用画像決定ステップにより決定された特別合成用画像と抽出ステップにより特別写真画像から抽出された被写体画像とを合成・配置するとともにシートデザイン画像内の通常領域上に合成ステップにより合成された複数の通常合成画像を配置してシート画像を生成するシート画像生成ステップと、シート画像生成ステップにより生成されたシート画像をシール紙に印刷する印刷ステップとを備える。
【図面の簡単な説明】
【００２６】
【図１】本発明の一実施形態に係る写真撮影遊戯機の斜視図である。
【図２】図１の写真撮影遊戯機のうち事前接客ブース及び撮影ブース内の正面筐体の斜視図である。
【図３】図１の写真撮影遊戯機の撮影ブース内の背面筐体の斜視図である。
【図４】図１の写真撮影遊戯機の編集ブース内の編集ユニット及び事後接客部の斜視図である。
【図５】図１の写真撮影遊戯機の機能ブロック図である。
【図６】図１の写真撮影遊戯機の全体処理のフローチャートである。
【図７】図６に示される事前接客処理のフローチャートである。
【図８】図１の写真撮影遊戯機の受付用ディスプレイに表示される名前入力画面の例を示す図である。
【図９】事前接客処理中の背景画像選択処理のフローチャートである。
【図１０】背景画像選択処理において、受付用ディスプレイに表示される背景画像選択画面の例を示す図である。
【図１１】背景画像選択処理において、受付用ディスプレイに表示される確認画面の例を示す図である。
【図１２】事前接客処理中の日付入力処理において、受付用ディスプレイに表示される日付入力画面の例を示す図である。
【図１３】事前接客処理中の日付入力／名前選択処理において、受付用ディスプレイに表示される日付入力／名前選択画面の例を示す図である。
【図１４】事前接客処理中の日付入力／名前入力処理において、受付用ディスプレイに表示される日付／名前入力画面の例を示す図である。
【図１５】図６に示される写真画像生成処理のフローチャートである。
【図１６】写真画像生成処理中の特別撮影処理のフローチャートである。
【図１７】図６に示される画像編集処理のフローチャートである。
【図１８】画像編集処理中の落書き処理において、編集用ディスプレイに表示される編集画面の例を示す図である。
【図１９】名前修正操作の流れを示す図１８の編集画面の簡略図である。
【図２０】画像編集処理中のシート画像生成処理のフローチャートである。
【図２１】シート画像生成処理において、シートデザイン画像上での特別背景画像、被写体画像、及び装飾画像の配置順を示す斜視図である。
【図２２Ａ】特別背景画像上の被写体画像の位置の例を示す簡略平面図である。
【図２２Ｂ】特別背景画像上の被写体画像の位置の別の例を示す簡略平面図である。
【図２２Ｃ】特別背景画像上の被写体画像の位置の別の例を示す簡略平面図である。
【図２２Ｄ】特別背景画像上の被写体画像の位置の別の例を示す簡略平面図である。
【図２３Ａ】画像編集処理中のシートレイアウト選択処理において、編集用ディスプレイに表示されるシートレイアウト選択画面の初期状態の例を示す図である。
【図２３Ｂ】シートレイアウト選択画面の別の状態の例を示す図である。
【図２３Ｃ】シートレイアウト選択画面の別の状態の例を示す図である。
【図２４Ａ】シートレイアウト選択画面の別の状態の例を示す図である。
【図２４Ｂ】シートレイアウト選択画面の別の状態の例を示す図である。
【図２４Ｃ】シートレイアウト選択画面の別の状態の例を示す図である。
【図２４Ｄ】シートレイアウト選択画面の別の状態の例を示す図である。
【図２５】図６に示される事後接客処理のフローチャートである。
【図２６】図１の写真撮影遊戯機によって作成された写真シールの平面図である。
【図２７】図１の写真撮影遊戯機によって作成された別の写真シールの平面図である。
【発明を実施するための形態】
【００２７】
以下、本発明の実施形態について図面を参照しつつ説明する。図中同一及び相当する構成については、同一の符号を付して同じ説明を繰り返さない。
【００２８】
（写真撮影遊戯機の全体構成）
本実施形態に係る写真撮影遊戯機１は、図１に示すように、撮影ブース２と、事前接客部３と、編集ブース４と、事後接客部５（図４）と、を備えている。
【００２９】
（撮影ブース）
撮影ブース２は、図１から図３に示すように、２つの正面筐体２０Ａ，背面筐体２０Ｂによって区画された空間である。撮影ブース２内では、被写体である利用者の写真撮影が行われる。なお、以後、説明の便宜上、撮影ブース２内から見て、正面筐体２０Ａ側の方向を前方向又は正面方向、背面筐体２０Ｂ側の方向を後方向又は背面方向と称する。また、前方向に向かって右側の方向を単に右方向、前方向に向かって左側の方向を単に左方向と称する。図１に示すように、正面筐体２０Ａと背面筐体２０Ｂとは前後方向に間を空けて配置されており、利用者は、正面筐体２０Ａと背面筐体２０Ｂとの間を通って撮影ブース２に出入りする。
【００３０】
図２に示すように、正面筐体２０Ａの内側には、撮影ユニット２０が設けられている。撮影ユニット２０は、カメラ２１と、正面ディスプレイ２２と、照明装置２３Ｂ〜２３Ｈと、後述するスピーカ４５０（図５）と、を備えている。
【００３１】
カメラ２１は、正面筐体２０Ａの内側正面の幅方向中央付近に配置されている。カメラ２１は、撮影ブース２内の利用者を撮影し、所定のタイミングで静止画像として記録する。
【００３２】
正面ディスプレイ２２は、カメラ２１の下方に配置されている。正面ディスプレイ２２は、カメラ２１によって撮影された利用者の映像を左右反転させ、リアルタイムにライブ表示する。また、正面ディスプレイ２２上にはタッチパネルが配置されており、タッチパネルを介して、利用者による入力操作が受け付けられる。利用者による入力操作は、利用者が正面ディスプレイ２２にタッチペン（図示省略）又は指で直接タッチすることによって受け付けられる。
【００３３】
照明装置２３Ｂは、カメラ２１の上方に配置されている。照明装置２３Ｅ，２３Ｆは、カメラ２１の左右に配置されている。照明装置２３Ｇ，２３Ｈは、正面ディスプレイ２２の下方に配置されている。照明装置２３Ｃ１，２３Ｃ２は、カメラ２１及び正面ディスプレイ２２の左側に配置されている。照明装置２３Ｄ１，２３Ｄ２は、カメラ２１及び正面ディスプレイ２２の右側に配置されている。
【００３４】
照明装置２３Ｂ、２３Ｃ１、２３Ｃ２、２３Ｄ１、２３Ｄ２、２３Ｇ、２３Ｈは、ストロボ光源及び蛍光灯光源を有している。ストロボ光源は、カメラ２１が利用者のライブ映像を静止画として記録する瞬間に発光し、発光面を介して撮影ブース２内の利用者に光を照射する。照明装置２３Ｅ、２３Ｆは、蛍光灯光源のみを有しており、常時撮影ブース２内を照明する。なお、以後、照明装置２３Ｂ〜２３Ｈを総称して照明装置２３という場合がある。
【００３５】
背面筐体２０Ｂの内側背面には、図３に示すように、背面パネル２４が設けられている。背面パネル２４は、クロマキー合成用のパネルであってもよいし、クロマキー合成用のカーテンを備えていてもよい。背面筐体２０Ｂの床面２５上には、クロマキー合成用の床マットや床板等の床部材（図示省略）が設けられる。床部材の色は、背面パネル２４の色と同じであり、例えば黄緑色等とされる。床面２５上には、カメラ２１による撮影の際に被写体である利用者の位置を固定するため、椅子（図示省略）が設置されていてもよい。なお、特に図示しないが、背面筐体２０Ｂの天井や内側の左右側面にも、正面筐体２０Ａと同様の照明装置が設けられていてもよい。
【００３６】
（事前接客部）
事前接客部３は、図１及び図２に示すように、撮影ブース２の外に設けられており、受付装置３０を備えている。本実施形態では、受付装置３０は、正面筐体２０Ａの左の側面に配置されているが、正面筐体２０Ａの右の側面に設けられていてもよいし、正面筐体２０Ａの左右両方の側面に設けられていてもよい。
【００３７】
受付装置３０は、受付用ディスプレイ３１と、コイン投入口３２と、スピーカ３３と、を備えている。
【００３８】
受付用ディスプレイ３１は、写真シール作成に当たって各種設定を入力するための画面等を表示する。受付用ディスプレイ３１上にはタッチパネルが配置されており、タッチパネルを介して、利用者による入力操作が受け付けられる。利用者による入力操作は、利用者が受付用ディスプレイ３１にタッチペン（図示省略）又は指で直接タッチすることによって受け付けられる。コイン投入口３２には、写真シールの作成開始に際し、利用者によってコインが投入される。スピーカ３３は、操作案内やＢＧＭ等の音声を出力する。
【００３９】
（編集ブース）
編集ブース４は、図１及び図４に示すように、正面筐体２０Ａの前方に設けられており、編集ユニット４０を備えている。編集ユニット４０は、２つの画像編集装置４１と、各画像編集装置４１を支持する編集筐体４３とを備えている。
【００４０】
２つの画像編集装置４１は、図４に示すように、左右対称となるよう背中合わせに配置されている。各画像編集装置４１は、編集用ディスプレイ４１１と、２本のタッチペン４１２と、スピーカ４１３（図５）と、非接触通信装置９７とを備えている。
【００４１】
編集用ディスプレイ４１１は、利用者に画像を編集させるために、撮影ブース２で撮影された写真画像を基とした画像を表示する。編集用ディスプレイ４１１上にはタッチパネルが配置されており、タッチパネルを介して、利用者による画像編集操作が受け付けられる。
【００４２】
２本のタッチペン４１２は、編集用ディスプレイ４１１の両側に配置されている。本実施形態では、利用者による編集操作は、利用者が各タッチペン４１２で編集用ディスプレイ４１１にタッチすることによって受け付けられるが、利用者が編集用ディスプレイ４１１に指で直接タッチすることによって受け付けられることとしてもよい。
【００４３】
スピーカ４１３は、操作案内やＢＧＭ等の音声を出力する。非接触通信装置９７は、画像の取得に必要な情報等を利用者の端末装置に送信する際に用いられる。
【００４４】
（事後接客部）
事後接客部５は、図４に示すように、編集ユニット４０の前面に設けられており、受付装置５０を備えている。
【００４５】
受付装置５０は、受付用ディスプレイ５１と、スピーカ５３と、写真シール排出口５２とを備えている。
【００４６】
受付用ディスプレイ５１は、画像送信に当たって、送信する画像の選択や画像を携帯電話機で受け取るためのメールアドレスを入力するための画面等を表示する。受付用ディスプレイ５１上にはタッチパネルが配置されており、タッチパネルを介して、利用者による入力操作が受け付けられる。利用者による入力操作は、指で直接タッチすることによって受け付けられる。スピーカ５３は、操作案内やＢＧＭ等の音声を出力する。
【００４７】
写真シール排出口５２は、図４に示すように、編集ユニット４０の前面に設けられており、編集筐体４３内に備わるプリンタ６５０（図５）で印刷された写真シールが排出される。
【００４８】
（写真撮影遊戯機の機能構成）
次に、写真撮影遊戯機１の機能構成について、図５を参照しつつ説明する。
【００４９】
（制御装置の構成）
図５に示すように、写真撮影遊戯機１は、制御装置１００を備えている。制御装置１００は、コンピュータ装置１０１と、制御基板１０２と、クロマキーキャプチャボード１７と、を備えている。制御装置１００は、撮影ユニット２０に設けられていてもよいし、編集ユニット４０に設けられていてもよい。
【００５０】
コンピュータ装置１０１は、Ｃｅｎｔｒａｌ  Ｐｒｏｃｅｓｓｉｎｇ  Ｕｎｉｔ（ＣＰＵ）１０３と、ハードディスク（ＨＤＤ）１０４と、メモリ１０５と、通信部１０６と、を備えている。
【００５１】
ＣＰＵ１０３は、写真撮影遊戯機１に所定の処理を実現させるための制御プログラムを実行する。
【００５２】
ＨＤＤ１０４は、上述の制御プログラム、複数のテーマに対応して設定された複数の背景画像セットデータ、後述の「特別撮影」用の特別背景画像データ及び装飾画像データ、後述の「通常撮影」又は「空間撮影」用の背景画像データ及びフレーム画像データ、シートデザイン画像データ、各処理に必要なグラフィックデータ、音声データ、編集ツール画像データ、及び写真画像のトリミングのための情報等を記憶する。ここで、「テーマ」は、誕生日や誕生日以外の記念日、春夏秋冬、ハロウィン、及びクリスマス等のシーズンイベントを含む。
【００５３】
メモリ１０５は、コンピュータ装置１０１のメインメモリであり、ＣＰＵ１０３が制御プログラムを実行する際の一時的な作業領域となる。通信部１０６は、ネットワークを介してサーバ（図示省略）及び非接触通信装置９７との通信を行う。
【００５４】
制御基板（デジタル入出力ボード（ＤＩＯ））１０２は、コンピュータ装置１０１と接続され、コンピュータ装置１０１との間で信号の入出力を行う。また、制御基板１０２は、コイン制御部１１２、発光制御部１１０、蛍光灯１４、及びサービスパネル１１３とも接続されており、これらとの間で信号の入出力を行う。
【００５５】
（事前接客部の受付装置の制御）
コンピュータ装置１０１は、受付装置３０と接続されている。ＣＰＵ１０３は、制御プログラムを実行し、必要な情報を受付用ディスプレイ３１に表示させる。また、ＣＰＵ１０３は、制御プログラムを実行し、必要な音声をスピーカ３３から出力させる。
【００５６】
（撮影ユニットの制御）
コンピュータ装置１０１は、撮影ユニット２０と接続されている。ＣＰＵ１０３は、制御プログラムを実行し、必要な情報を正面ディスプレイ２２に表示させる。また、ＣＰＵ１０３は、制御プログラムを実行し、必要な音声をスピーカ４５０から出力させる。
【００５７】
コンピュータ装置１０１は、制御基板１０２を介して発光制御部１１０とも接続されている。ＣＰＵ１０３は、制御プログラムを実行し、照明装置２３を発光制御部１１０に制御させる。例えば、発光制御部１１０は、カメラ２１が利用者の写真画像を記録するタイミングで照明装置２３を発光させ、あるいは、照明装置２３Ｂ〜２３Ｈ毎の発光量が異なるように、照明装置２３Ｂ〜２３Ｈ毎にその充電量を変更させることができる。例えば、撮影ブース２内において利用者の右側と左側とで光量が異なるように、各照明装置２３Ｂ〜２３Ｈの充電量を変更させることができる。
【００５８】
クロマキーキャプチャボード１７は、撮影ユニット２０及びコンピュータ装置１０１と接続されている。クロマキーキャプチャボード１７は、カメラ２１が撮影しているライブ映像を所定の間隔（例えば３０フレーム／秒）で写真画像データとして取り込む。クロマキーキャプチャボード１７は、各写真画像データから被写体である被写体の領域を抽出し、コンピュータ装置１０１に転送する。
【００５９】
（編集ユニットの制御）
コンピュータ装置１０１は、編集ユニット４０の各画像編集装置４１と接続されている。ＣＰＵ１０３は、制御プログラムを実行し、必要な情報を編集用ディスプレイ４１１に表示させる。また、ＣＰＵ１０３は、制御プログラムを実行し、必要な音声をスピーカ４１３から出力させる。
【００６０】
コンピュータ装置１０１は、プリンタ６５０とも接続されている。ＣＰＵ１０３は、制御プログラムを実行し、プリンタ６５０に印刷処理を行わせる。
【００６１】
（事後接客部の受付装置の制御）
コンピュータ装置１０１は、受付装置５０と接続されている。ＣＰＵ１０３は、制御プログラムを実行し、必要な情報を受付用ディスプレイ５１に表示させる。また、ＣＰＵ１０３は、制御プログラムを実行し、必要な音声をスピーカ５３から出力させる。
【００６２】
（その他）
コンピュータ装置１０１は、制御基板１０２を介して、蛍光灯１４、コイン制御部１１２、及びサービスパネル１１３とも接続されている。
【００６３】
（写真シールの作成処理）
次に、写真撮影遊戯機１によって写真シールを作成する処理について説明する。以下で説明する各処理は、ＣＰＵ１０３（図５）が制御プログラムを実行することによって実現される。
【００６４】
図６に示すように、写真撮影遊戯機１は、まず、事前接客処理を行う（ステップＳ１０）。次に、写真撮影遊戯機１は、写真画像生成処理を行う（ステップＳ２０）。その後、写真撮影遊戯機１は、画像編集処理を行う（ステップＳ３０）。最後に、写真撮影遊戯機１は、事後接客処理を行う（ステップＳ４０）。以下、各処理について詳述する。
【００６５】
（事前接客処理）
まず、事前接客処理（ステップＳ１０）について説明する。写真撮影遊戯機１は、所定の枚数のコインが投入された際に、写真シールの作成処理を開始する。ここでは、１度の写真シールの作成処理を「１プレイ」と称し、「１プレイ」に必要なコインを「１プレイ分のコイン」と称する。
【００６６】
図７に示すように、ＣＰＵ１０３は、コイン投入口３２にコインが投入されるまで、デモンストレーション映像を受付用ディスプレイ３１に表示させている（ステップＳ１１１）。このとき、ＣＰＵ１０３は、デモンストレーション映像に応じたＢＧＭ等をスピーカ３３から出力させてもよい。
【００６７】
ＣＰＵ１０３は、１プレイ分のコインが投入されたか監視する（ステップＳ１１２）。利用者がコイン投入口３２にコインを投入すると、コイン制御部１１２（図５）は、制御基板１０２を介して、コインの投入がなされたことを示す情報をコンピュータ装置１０１に転送し、ＣＰＵ１０３は、コインカウントをひとつ増やす。ＣＰＵ１０３は、コインカウントが、１プレイ分のコインに達するまで監視を続け（ステップＳ１１２でＮｏの場合）、１プレイ分のコイン（たとえば４００円）が投入されたと判定すると（ステップＳ１１２でＹｅｓの場合）プレイを開始させる。
【００６８】
次に、ＣＰＵ１０３は、図８に示すような名前入力画面３１０を受付用ディスプレイ３１に表示させる。このとき、ＣＰＵ１０３は、利用者名の入力を促す音声をスピーカ３３から出力させてもよい。名前入力画面３１０には、名前の入力が可能な残り時間をカウントダウンするタイマーが表示されていてもよい。
【００６９】
名前入力画面３１０は、図８に示すように、名前入力欄３１１Ａ，３１１Ｂと、入力パレット３１２Ａ，３１２Ｂと、「決定」ボタン３１３と、を含む。利用者は入力パレット３１２Ａ，３１２Ｂを用いて、名前入力欄３１１Ａ，３１１Ｂに利用者名を入力する（ステップＳ１１３）。図８では、入力パレット３１２Ａ，３１２Ｂには、ひらがなが五十音順で表示されているが、ローマ字がアルファベット順で表示されていてもよいし、ひらがなの表示とローマ字の表示とを切り換えることができるようになっていてもよい。また、入力パレット３１２Ａ，３１２Ｂには、名前入力欄３１１Ａ，３１１Ｂに入力された名前を修正するため、「修正」ボタンが含まれていてもよい。
【００７０】
入力パレット３１２Ａのひらがなを利用者がタッチすると、タッチされたひらがなが名前入力欄３１１Ａに入力される。入力パレット３１２Ｂのひらがなに利用者がタッチすると、タッチされたひらがなが名前入力欄３１１Ｂに入力される。この操作を繰り返すことにより、利用者は、名前入力画面３１０上で２人分の利用者名を名前入力欄３１１Ａ，３１１Ｂに入力することができる。
【００７１】
名前入力画面３１０で利用者が「決定」ボタン３１３にタッチするか、あるいは、名前の入力の制限時間が経過すると、ＣＰＵ１０３は、名前入力画面３１０を閉じ、利用者名の入力の受付を終了する。ＣＰＵ１０３は、利用者が「決定」ボタン３１３にタッチしたことに応じて利用者名の入力の受付を終了した場合、名前入力欄３１１Ａ，３１１Ｂの文字列を入力された利用者名として取り扱う。一方、ＣＰＵ１０３は、制限時間が経過したことに応じて利用者名の入力の受付を終了した場合、予め定められた文字列を入力された利用者名として取り扱う。
【００７２】
（背景画像選択処理）
次に、ＣＰＵ１０３は、背景画像選択処理を行う（ステップＳ１１４）。背景画像選択処理について、以下、詳細に説明する。図９は背景画像選択処理を表すフローチャートである。
【００７３】
ステップＳ１１３の終了後、ＣＰＵ１０３は、図１０に示すように、背景選択画面３２０を受付用ディスプレイ３１に表示させる（ステップＳ１１４１）。このとき、ＣＰＵ１０３は、背景の選択を促す音声をスピーカ３３から出力させてもよい。また、背景選択画面３２０には、背景の選択が可能な残り時間をカウントダウンするタイマーが表示されていてもよい。
【００７４】
背景選択画面３２０は、図１０に示すように、４つのタブ３２１Ａ〜３２１Ｄと、背景表示領域３２２と、を含む。タブ３２１Ａには「セット」、タブ３２１Ｂには「ノーマル」、タブ３２１Ｃには「パターン」、タブ３２１Ｄには「デザイン」の文字が表示されている。
【００７５】
図１０は、「セット」タブ３２１Ａを選択したときの背景選択画面３２０を示している（ステップＳ１１４２でＹｅｓの場合）。このとき、背景表示領域３２２には、複数の背景画像セット３２３Ａ〜３２３Ｈが表示されている（ステップＳ１１４３）。背景画像セット３２３Ａ〜３２３Ｆは、それぞれ、所定のテーマに対応して設定され、６枚の通常背景画像を含んでいる。背景表示領域３２２には、背景画像セット３２３Ａ〜３２３Ｈごとに、６枚の背景画像のサンプル画像３２４が表示される。本実施形態では、各背景画像セット３２３Ａ〜３２３Ｈには６枚の通常背景画像が含まれていることとするが、各背景画像セットには２枚以上の通常背景画像が含まれていればよい。
【００７６】
図１０の例では、背景画像セット３２３Ａ〜３２３Ｈには、それぞれ、「ＦｏＴｏＲｏｏｏｏｍ」セット、「モノクロ」セット、「渋カラー」セット、「ホワイト」セット、「イラスト」セット、「イベント」セット、「バースデー」セット、及び「アニバーサリー」セットという名称が付与されている。「イベント」セット３２３Ｆは、例えば、春夏秋冬、ハロウィン、及びクリスマス等、シーズンイベントに対応して設定された背景画像セットである。コンピュータ装置１０３内に設定された現在日時に応じていずれかのシーズンイベントの背景画像セットが表示される。「バースデー」セット３２３Ｇは、誕生日に対応して設定された背景画像セットである。「アニバーサリー」セット３２３Ｈは、誕生日以外の記念日に対応して設定された背景画像セットである。
【００７７】
背景選択画面３２０において、「ノーマル」タブ３２１Ｂ、「パターン」タブ３２１Ｃ、又は「デザイン」タブ３２１Ｄが選択された場合（ステップＳ１１４２でＮｏの場合）、背景表示領域３２２には、選択されたタブのカテゴリに対応する複数の背景画像が表示される。利用者は、これらの背景画像の中から所望の背景画像を個々に６枚選択する（ステップＳ１１４４）。
【００７８】
利用者は、背景表示領域３２２に表示された背景画像セットにタッチすることによって、所望の背景画像セットを選択する。利用者が背景画像セットを選択すると（ステップＳ１１４５）、ＣＰＵ１０３は、図１１に示すような確認画面３３０を受付用ディスプレイ３１に表示させる（ステップＳ１１４６）。確認画面３３０には、図１１に示すように、背景選択画面３２０で選択された背景画像セット３３１と、「決定」ボタン３３２と、「いいえ」ボタン３３３とが表示される。確認画面３３０には、背景の選択が可能な残り時間をカウントダウンするタイマーが表示されていてもよい。
【００７９】
確認画面３３０において、利用者が「いいえ」ボタン３３３にタッチすると（ステップＳ１１４７でＮｏの場合）、ＣＰＵ１０３は、背景選択画面３２０を受付用ディスプレイ３１に再度表示させる。このとき、背景選択画面３２０は、確認画面３３０が表示される前の状態となっている。すなわち、背景選択画面３２０で背景画像セットが選択された後、確認画面３３０で「いいえ」ボタン３３３がタッチされた場合、再表示された背景選択画面３２０は、図１０に示すように、「セット」タブ３２１Ａが選択された状態となっている（ステップＳ１１４３）。
【００８０】
確認画面３３０で利用者が「決定」ボタン３３２にタッチするか（ステップＳ１１４７でＹｅｓの場合）、あるいは、背景画像の選択の制限時間が経過すると、ＣＰＵ１０３は、背景選択画面３２０及び確認画面３３０を閉じ、背景画像の選択の受付を終了する。ＣＰＵ１０３は、利用者が「決定」ボタン３３２にタッチしたことに応じて背景画像の選択の受付を終了した場合、利用者が選択した背景画像セット又は個々の背景画像を選択された背景画像として取り扱う。一方、ＣＰＵ１０３は、制限時間が経過したことに応じて背景画像の選択の受付を終了した場合、６枚の背景画像を自動的に選択する。
【００８１】
図７に戻って事前接客処理の説明を続ける。背景画像選択処理（ステップＳ１１４）において、「アニバーサリー」セット３２３Ｈが選択された場合（ステップＳ１１５でＹｅｓの場合）、ＣＰＵ１０３は、図１２に示すような日付入力画面３４０を受付用ディスプレイ３１に表示させる。
【００８２】
日付入力画面３４０は、図１２に示すように、日付入力欄３４１と、入力パレット３４２と、「決定」ボタン３４３とを含む。日付入力画面３４０が受付用ディスプレイ３１に最初に表示された際、入力されるべき日付として、コンピュータ装置１０３内に設定された現在の日付が日付入力欄３４１に予め入力されていてもよいし、日付入力欄３４１が空欄であってもよい。入力パレット３４２には、０〜９の数字、「ひとつ戻る」ボタン、及び「全部消す」ボタンが表示されている。なお、日付入力画面３４０には、日付の入力が可能な残り時間をカウントダウンするタイマーが表示されていてもよい。
【００８３】
利用者が入力パレット３４２の数字にタッチすると、タッチされた数字が日付入力欄３４１に入力される。この操作を繰り返すことにより、利用者は所望の日付を日付入力欄３４１に入力することができる（ステップＳ１１６）。なお、入力パレット３４２において、利用者が「ひとつ戻る」ボタンにタッチすると、日付入力欄３４１の最後の１文字が消去され、利用者が「全部消す」ボタンにタッチすると、日付入力欄３４１の全ての文字が消去される。
【００８４】
利用者が「決定」ボタン３４３にタッチするか、あるいは、日付の入力の制限時間が経過すると、ＣＰＵ１０３は、日付入力画面３４０を閉じ、日付の入力の受付を終了する。ＣＰＵ１０３は、利用者が「決定」ボタン３４３にタッチしたことに応じて日付の入力の受付を終了した場合、日付入力欄３４１の数字を入力された日付として取り扱う。一方、ＣＰＵ１０３は、制限時間が経過したことに応じて日付の入力の受付を終了した場合、現在の日付を入力された日付として取り扱う。
【００８５】
背景画像選択処理（ステップＳ１１４）において、「バースデー」セット３２３Ｇが選択された場合（ステップＳ１１５でＮｏ、且つステップＳ１１７でＹｅｓの場合）、ＣＰＵ１０３は、図１３に示すような日付入力／名前選択画面３５０を受付用ディスプレイ３１に表示させる。
【００８６】
日付入力／名前選択画面３５０は、図１３に示すように、日付入力領域３５１と、名前選択領域３５２とを含む。なお、日付入力／名前選択画面３５０には、日付の入力、名前の選択、及び後述の名前の入力が可能な残り時間をカウントダウンするタイマーが表示されていてもよい。
【００８７】
日付入力領域３５１は、日付入力欄３５１１と、入力パレット３５１２と、「決定」ボタン３５１３と、を含む。日付入力／名前選択画面３５０が受付用ディスプレイ３１に最初に表示された際、入力されるべき日付として、コンピュータ装置１０３内に設定された現在の日付が日付入力欄３５１１に予め入力されていてもよいし、日付入力欄３５１１が空欄であってもよい。入力パレット３５１２には、０〜９の数字、「ひとつ戻る」ボタン、及び「全部消す」ボタンが表示されている。
【００８８】
利用者が入力パレット３５１２の数字にタッチすると、タッチされた数字が日付入力欄３５１１に入力される。この操作を繰り返すことにより、利用者は、利用者自身や第三者の誕生日の日付を日付入力欄３５１１に入力することができる（ステップＳ１１８）。入力パレット３５１２において、利用者が「ひとつ戻る」ボタンにタッチすると、日付入力欄３５１１の最後の１文字が消去され、利用者が「全部消す」ボタンにタッチすると、日付入力欄３５１１の全ての文字が消去される。
【００８９】
利用者が「決定」ボタン３５１３にタッチし、且つ後述する名前の選択が終了していない場合、ＣＰＵ１０３は、名前の選択が終了するまで待機を求めるメッセージ（図示省略）を日付入力領域３５１に表示させる。
【００９０】
名前選択領域３５２は、図１３に示すように、名前表示欄３５２１Ａ，３５２１Ｂと、「新しく入力する」ボタン３５２２と、「決定」ボタン３５２３とを含む。名前表示欄３５２１Ａ上又は３５２１Ｂ上には、カーソル３５２４が表示される。名前表示欄３５２１Ａ，３５２１Ｂには、ステップＳ１１３で入力した利用者名が表示されている。図１３の名前表示欄３５２１Ａ，３５２１Ｂには、利用者名がひらがなで表示されているが、利用者名をローマ字で表示させてもよい。ひらがなとローマ字の両方を表示させてもよい。
【００９１】
新たな名前の入力が不要な場合（ステップＳ１１９でＮｏの場合）、つまり、利用者自身の誕生日を記念して写真シールを作成する場合、利用者は、名前表示欄３５２１Ａ又は３５２１Ｂにタッチすることによって、誕生日の利用者名を選択する（ステップＳ１１８）。カーソル３５２４は、タッチされた名前表示欄３５２１Ａ又は３５２１Ｂ上に移動する。
【００９２】
利用者が「決定」ボタン３５２３にタッチし、且つ上述した日付の入力が終了していない場合、ＣＰＵ１０３は、日付の入力が終了するまで待機を求めるメッセージ（図示省略）を名前選択領域３５２に表示させる。日付の入力及び名前の選択が終了しているか、あるいは、所定の制限時間が経過している場合、ＣＰＵ１０３は、日付入力／名前選択画面３５０を閉じ、日付の入力及び名前の選択の受付を終了する。
【００９３】
利用者が「決定」ボタン３５１３及び３５２３にタッチすることによって日付の入力及び名前の選択の受付が終了した場合、ＣＰＵ１０３は、日付入力欄３５１１の数字を入力された日付として取り扱い、カーソル３５２４が配置されていた方の名前表示欄３５２１Ａ，３５２１Ｂの文字列を選択された利用者名として取り扱う。一方、制限時間が経過したことによって日付の入力及び名前の選択の受付が終了した場合、ＣＰＵ１０３は、現在の日付を入力された日付として取り扱い、カーソル３５２４が配置されていた方の名前表示欄３５２１Ａ，３５２１Ｂの文字列を選択された名前として取り扱う。
【００９４】
新たに名前の入力を行う場合（ステップＳ１１９でＹｅｓ）、つまり、利用者以外の第三者の誕生日を記念して写真シールを作成する場合、利用者は、名前選択領域３５２の「新しく入力する」ボタン３５２２にタッチする。これにより、ＣＰＵ１０３は、図１４に示すように、日付入力／名前選択画面３５０の名前選択領域３５２を名前入力領域３６２に切り替え、受付用ディスプレイ３１に表示させる。なお、名前選択領域３５２が名前入力領域３６２に切り替えられた状態の画面を、日付入力／名前入力画面３５０と称する。日付入力／名前入力画面３５０にタイマーが表示されている場合、カウントダウンは継続される。
【００９５】
名前入力領域３６２は、名前入力欄３６２１Ａ，３６２１Ｂと、「ひとつ戻る」ボタン３６２２と、「全部消す」ボタン３６２３と、「ローマ字を修正する」ボタン３６２４と、入力パレット３６２５と、「名前を入力しない」ボタン３６２６と、「決定」ボタン３６２７とを含む。入力パレット３６２５には、ひらがなが五十音順で表示されている。
【００９６】
利用者が入力パレット３６２５のひらがなにタッチすると、タッチされたひらがなが名前入力欄３６２１Ａに入力されるとともに、このひらがなに対応したローマ字が名前入力欄３６２１Ｂに入力される。利用者は、この操作を繰り返すことによって、利用者以外の第三者名を名前入力欄３６２１Ａ，３６２１Ｂに入力する（ステップＳ１２０）。
【００９７】
名前入力欄３６２１Ａ，３６２１Ｂに入力された名前を修正したい場合、利用者は、「ひとつ戻る」ボタン３６２２又は「全部消す」ボタン３６２３をタッチする。「ひとつ戻る」ボタン３６２２がタッチされた場合、名前入力欄３６２１Ａに入力された文字のうち、最後のひらがな１文字が消去され、名前入力欄３６２１Ａから消去されたひらがなに対応する名前入力欄３６２１Ｂのローマ字が消去される。「全部消す」ボタン３６２３がタッチされた場合、名前入力欄３６２１Ａ，３６２１Ｂに入力された文字全てが消去される。
【００９８】
名前入力欄３６２１Ｂに表示されたローマ字の名前のみを修正したい場合、利用者は、「ローマ字を修正する」ボタン３６２４をタッチする。これにより、名前入力欄３６２１Ｂの文字が消去されるとともに、入力パレット３６２５にローマ字がアルファベット順で表示される。利用者は、入力パレット３６２５のローマ字をタッチし、名前入力欄３６２１Ｂに正しいローマ字の名前を入力する。
【００９９】
日付入力／名前選択画面３５０で利用者が「決定」ボタン３６２７にタッチし、且つ上述した日付の入力が終了していない場合、ＣＰＵ１０３は、日付の入力が終了するまで待機を求めるメッセージ（図示省略）を名前入力領域３６２に表示させる。「決定」ボタン３５１３及び３６２７に利用者がタッチするか、あるいは、所定の制限時間が経過した場合、ＣＰＵ１０３は、日付入力／名前入力画面３５０を閉じ、日付及び名前の入力の受付を終了する。
【０１００】
利用者が「決定」ボタン３５１３及び３６２７にタッチすることによって日付及び名前の入力の受付が終了した場合、ＣＰＵ１０３は、日付入力欄３５１１の数字を入力された日付として取り扱い、名前入力欄３６２１Ａ，３６２１Ｂの文字を新たに入力された第三者名として取り扱う。一方、制限時間が経過したことによって日付及び名前の入力の受付が終了した場合、ＣＰＵ１０３は、現在の日付を入力された日付として取り扱い、第三者名は入力されなかったものとし、日付入力／名前選択画面３５０においてカーソル３５２４が配置されていた方の名前表示欄３５２１Ａ，３５２１Ｂの文字を選択された名前として取り扱う。
【０１０１】
図７に戻って事前接客処理の説明を続ける。次に、ＣＰＵ１０３は、撮影ブース２が空いているか否かを判断する（ステップＳ１２１）。撮影ブース２が空いていない場合（ステップＳ１２１でＮｏの場合）、ＣＰＵ１０３は、利用者に対して待機を求める画面（図示省略）を受付用ディスプレイ３１に表示させる（ステップＳ１２２）。撮影ブース２が空いている場合（ステップＳ１２１でＹｅｓの場合）、ＣＰＵ１０３は、利用者を撮影ブース２へ誘導する画面（図示省略）を受付用ディスプレイ３１に表示させる（ステップＳ１２３）。このとき、ＣＰＵ１０３は、利用者を撮影ブース２へ誘導する音声をスピーカ３３から出力させてもよい。
【０１０２】
利用者を撮影ブース２へ誘導した後（ステップＳ１２３）、利用者によって入力された各種入力データがコンピュータ装置１０１に記憶される（ステップＳ１２４）。具体的には、入力された利用者名、選択された背景画像セット又は個々の背景画像、入力された日付、選択された利用者名、及び入力された第三者名等のデータがコンピュータ装置１０１に記憶される。コンピュータ装置１０１は、これらのデータをメモリ１０５に記憶する。
【０１０３】
（写真画像生成処理）
次に、写真画像生成処理（ステップＳ２０）について説明する。図１５は写真画像生成処理を表すフローチャートである。
【０１０４】
図１５に示すように、ＣＰＵ１０３は、撮影ブース２内の正面ディスプレイ２２に撮影開始画面（図示省略）を表示する（ステップＳ２１１）。撮影開始画面には、例えば、撮影開始ボタンが表示されており、利用者がこの撮影開始ボタンにタッチすることにより以降の処理が開始される。
【０１０５】
利用者が撮影開始ボタンにタッチすると、ＣＰＵ１０３は、利用者に画角を選択させる画面（図示省略）を正面ディスプレイ２２に表示させる。画角選択画面では、例えば、「２人撮影」のイメージ画像と、「３人以上撮影」のイメージ画像とが左右に並べて表示される。利用者は、２つのイメージ画像のうち一方にタッチすることによって画角を選択する（ステップＳ２１２）。
【０１０６】
ＣＰＵ１０３は、利用者によって選択された画角となるように、カメラ２１のズーム設定を行う（ステップＳ２１３）。
【０１０７】
カメラ２１のズーム設定が行われた後、カメラ２１は、ＣＰＵ１０３の制御に基づき、「通常撮影」及び「空間撮影」を行う（ステップＳ２１４及びＳ２１５）。ステップＳ１１４で選択した６枚の背景画像を用いて、被写体である利用者を６回撮影する。ステップＳ１１４の背景画像選択では、通常撮影用の４枚の背景画像と空間撮影用の２枚の背景画像を選択させている。そのため、まず、「通常撮影」で、利用者を４回撮影し、４枚の写真画像を生成する。続いて、「空間撮影」で、利用者を２回撮影し、２枚の写真画像を生成する。
【０１０８】
ここで、「通常撮影」及び「空間撮影」について簡単に説明する。「空間撮影」で生成される写真画像は、後述の編集ツール画像（落書き画像）を配置しやすくするという観点から、被写体である利用者の上方の領域が大きくなるように加工される。すなわち、カメラ２１によって撮影された各写真画像は、所望の画像サイズとなるように、写真シール作成の過程でトリミングが施されるが、トリミング後の「空間撮影」の写真画像は、トリミング後の「通常撮影」の写真画像よりも、各利用者の上方の領域が大きくなる。
【０１０９】
「通常撮影」及び「空間撮影」を行うに際し、クロマキーキャプチャボード１７は、カメラ２１で撮影された映像の被写体の背後に写る背面パネル２４の部分を透明にするクロマキー処理を行う。ＣＰＵ１０３は、クロマキー処理された映像と選択した背景画像とを重ね合わせて正面ディスプレイ２２にライブ表示する。これにより、写真シールの仕上がりを利用者にイメージさせながら撮影を行うことができる。
【０１１０】
背景画像選択処理（ステップＳ１１４）で利用者が背景画像セットを選択した場合、ライブ表示に使用される背景画像は、背景画像セットに含まれる各通常背景画像である。背景画像セット中の通常背景画像の使用順序については、予め決定しておき、ＨＤＤ１０４に記憶させておけばよい。背景画像選択処理（ステップＳ１１４）で利用者が背景画像セットを選択しなかった場合、つまり、背景選択画面３２０で、「ノーマル」タブ３２１Ｂ、「パターン」タブ３２１Ｃ、又は「デザイン」タブ３２１Ｄに表示された複数の背景画像の中から利用者が個別に背景画像を選択した場合、利用者が選択した各背景画像がライブ表示に使用される。
【０１１１】
また、「通常撮影」及び「空間撮影」に際して、ＣＰＵ１０３は、操作案内等を適宜正面ディスプレイ２２に表示させ、操作案内の音声やＢＧＭ等をスピーカ４５０から適宜出力させる。撮影ブース２内に椅子が設置されている場合、「空間撮影」に際し、椅子に腰掛けることを勧めるメッセージを正面ディスプレイ２２に表示させたり、同様のメッセージをスピーカ４５０から音声出力させたりしてもよい。利用者が椅子に腰掛けた状態で「空間撮影」を行うと、各利用者の頭部の位置を一致させることができるため、トリミング後の「空間撮影」の写真画像において、各利用者の上方の領域の大きさのばらつきが少なくなり、バランスのよい画像を生成することができる。
【０１１２】
（特別撮影）
ステップＳ２１２で「２人撮影」の画角を選択した場合、「通常撮影」及び「空間撮影」の終了後、ＣＰＵ１０３は、「特別撮影」を行う（ステップＳ２１６）。以下、「特別撮影」について説明する。図１６は特別撮影処理を表すフローチャートである。
【０１１３】
ＣＰＵ１０３は、特別撮影開始画面（図示省略）を正面ディスプレイ２２に表示させる（ステップＳ２１６１）。特別撮影開始画面は、「特別撮影」を開始する旨のメッセージとともに、「フロート撮影」及び「斜光おしゃ撮」のいずれかを選択させるボタンを表示する。利用者が「フロート撮影」を選択した場合、文字や図形、吹き出し等が浮かんで見える仕上がりの合成画像が作成される。利用者が「斜光おしゃ撮」を選択した場合、照明の効果を有効に活用した仕上がりの合成画像が作成される。
【０１１４】
（フロート撮影）
利用者が「フロート撮影」を選択し（ステップＳ２１６２でＹｅｓの場合）、且つ背景画像選択処理（ステップＳ１１４）で所定のテーマに対応した背景画像セットが選択されている場合（ステップＳ２１６３でＹｅｓの場合）、ＣＰＵ１０３は、選択された背景画像セットのテーマに応じた特別背景画像を決定する（ステップＳ２１６４）。ＣＰＵ１０３は、選択された背景画像セットのテーマに応じた装飾画像も決定する（ステップＳ２１６５）。装飾画像は主に写真画像の前景に合成される画像である。特別背景画像データ及び装飾画像データはＨＤＤ１０４に記憶されており、１つの背景画像セットのテーマに対応して複数の特別背景画像データ及び複数の装飾画像データが存在する。ＣＰＵ１０３は、選択された背景画像セットのテーマに応じて、複数の特別背景画像の中から１つの特別背景画像をランダムに選択し、複数の装飾画像の中から１つの装飾画像をランダムに選択し、自動的に決定する。また、複数の特別背景画像又は複数の装飾画像の組み合わせを正面ディスプレイ２２に表示し、利用者の選択操作に基づいて決定してもよい。さらに、１つの背景画像セットのテーマに対応して１つの特別背景画像データ及び１つの装飾画像データをＨＤＤ１０４に記憶させ、選択された背景画像セットのテーマに応じて、その特別背景画像とその装飾画像を自動的に決定させてもよい。なお、本実施形態では、「所定のテーマに対応した背景画像セット」は、「イベント」セット、「バースデー」セット、及び「アニバーサリー」セットである。選択された背景画像セットのテーマに応じた特別背景画像及び装飾画像は、「特別合成用画像」に含まれる。
【０１１５】
特別背景画像及び装飾画像のデザインは、対応する背景画像セットのデザインと統一感を有する。例えば、「バースデー」セットに対応する特別背景画像及び装飾画像は、「Ｈａｐｐｙ  Ｂｉｒｔｈｄａｙ」という、あらかじめ嵌め込まれている文字画像や、事前接客処理で入力された利用者名や第三者名を元に生成された名前画像、又は事前接客処理で入力された日付を元に生成された日付画像が、所定の位置に配置された画像を含む。「アニバーサリー」セットに対応する特別背景画像及び装飾画像は、「Ａｎｎｉｖｅｒｓａｒｒｙ」という、あらかじめ嵌め込まれている文字画像や、事前接客処理で入力された利用者名を元に生成された名前画像、又は事前接客処理で入力された日付を元に生成された日付画像が、所定の位置に配置された画像を含む。また、特別背景画像及び装飾画像は、事前接客処理で入力された利用者名、第三者名、又は日付を含むメッセージ画像を含んでいてもよい。装飾画像は、文字列画像や、図形画像、又は吹き出し画像等を含んでいてもよい。
【０１１６】
利用者が「フロート撮影」を選択し（ステップＳ２１６２でＹｅｓの場合）、且つ背景画像選択処理（ステップＳ１１４）で所定のテーマに対応した背景画像セット以外の背景セット又は個別の背景画像が選択された場合（ステップＳ２１６３でＮｏの場合）、ＣＰＵ１０３は、ＨＤＤ１０４内の背景画像データの中から、「フロート撮影」用の背景画像及び装飾画像を選択する（ステップＳ２１６６）。このときに選択される「フロート撮影」用の背景画像及び装飾画像は、「イベント」セット、「バースデー」セット、又は「アニバーサリー」セットが選択されている場合に使用される特別背景画像及び装飾画像とは別の汎用的なものであることが好ましいが、共通のものであってもよい。
【０１１７】
なお、「フロート撮影」で撮影される写真画像に合成される画像は、背景画像のみであってもよく、装飾画像のみであってもよい。ステップＳ２１６４乃至ステップＳ２１６５では、「フロート撮影」で撮影される写真画像に合成される特別背景画像及び／又は装飾画像（特別合成用画像）を、適宜決定すればよい。同様に、ステップＳ２１６６でも、「フロート撮影」で撮影される写真画像に合成される背景画像及び／又は装飾画像を、適宜決定すればよい。
【０１１８】
ステップＳ２１６５又はＳ２１６６の後、カメラ２１は、ＣＰＵ１０３の制御に基づき、利用者を１回撮影し、１枚の写真画像を生成する（ステップＳ２１６８）。このとき、ＣＰＵ１０３は、ステップＳ２１６４又はＳ２１６６で決定された背景画像、カメラ２１で撮影されたライブ映像をクロマキー処理したもの、及びステップＳ２１６５又はＳ２１６６で決定された装飾画像を重ねて正面ディスプレイ２２にライブ表示する。ライブ表示における背景画像及び装飾画像には、事前接客処理で入力された名前や日付が反映されてもよいし、反映されなくてもよい。
【０１１９】
（斜光おしゃ撮）
利用者が「斜光おしゃ撮」を選択した場合（ステップＳ２１６２でＮｏの場合）、ＣＰＵ１０３は、ＨＤＤ１０４内の背景画像データから「斜光おしゃ撮」用の背景画像を選択する（ステップＳ２１６７）。
【０１２０】
ステップＳ２１６７の後、カメラ２１は、ＣＰＵ１０３の制御に基づき、利用者を１回撮影し、１枚の写真画像を生成する（ステップＳ２１６８）。このとき、ＣＰＵ１０３は、例えば、利用者の右側と左側とで光量が異なるように、各照明装置２３Ｂ〜２３Ｈを制御する。これにより、利用者の右側及び左側のどちらか一方から照らされ、立体感のある写真画像が生成される。また、ＣＰＵ１０３は、ステップＳ２１６７で決定された背景画像、及びカメラ２１で撮影されたライブ映像をクロマキー処理したものを重ねて正面ディスプレイ２２にライブ表示する。
【０１２１】
図１５に戻って写真画像生成処理の説明を続ける。「特別撮影」（ステップＳ２１６）終了後、ＣＰＵ１０３は、画像仕上がり時の目の大きさ及び画像の明るさを利用者に選択させるための画面（図示省略）を正面ディスプレイ２２に表示させる。利用者は、この画面上で、目の大きさ及び画像の明るさを選択する（ステップＳ２１７）。
【０１２２】
ＣＰＵ１０３は、ステップＳ２１４〜Ｓ２１６で生成された各写真画像に対し、ステップＳ２１７で選択された目の大きさ及び明るさに応じた画像処理を施すとともに、所定の画像サイズとなるようにトリミング処理を施す（ステップＳ２１８）。これにより、「通常撮影」で生成された４枚の写真画像を基とする４枚の通常写真画像、「空間撮影」で生成された２枚の写真画像を基とする２枚の通常写真画像、及び「フロート撮影」又は「斜光おしゃ撮」で生成された写真画像を基とする１枚の特別写真画像が生成され、ＨＤＤ１０４に記憶させ、後述の画像編集処理で利用される（ステップＳ２１９）。
【０１２３】
写真画像生成後、ＣＰＵ１０３は、編集ブース４が空いているか否かを判断する（ステップＳ２２０）。編集ブース４が空いていない場合（ステップＳ２２０でＮｏの場合）、ＣＰＵ１０３は、利用者に対して待機を求める画面（図示省略）を正面ディスプレイ２２に表示させる（ステップＳ２２１）。編集ブース４が空いている場合（ステップＳ２２０でＹｅｓの場合）、ＣＰＵ１０３は、利用者を編集ブース４へ誘導する画面（図示省略）を正面ディスプレイ２２に表示させる（ステップＳ２２２）。また、ＣＰＵ１０３は、利用者を編集ブース４へ誘導する音声をスピーカ４５０から出力させてもよい。
【０１２４】
（画像編集処理）
次に、画像編集処理（ステップＳ３０）について説明する。図１７は画像編集処理を表すフローチャートである。
【０１２５】
図１７に示すように、ＣＰＵ１０３は、撮影ブース２から編集ブース４への利用者の移動を待つ移動待ち画面（図示省略）を編集用ディスプレイ４１１に表示させる（ステップＳ３１１）。
【０１２６】
撮影ブース２から編集ブース４へ移動してきた利用者がタッチペン４１２によって移動待ち画面にタッチすると、ＣＰＵ１０３は、残り編集時間のカウントダウンを開始する（ステップＳ３１２）。
【０１２７】
（落書き処理）
ステップＳ３１２の後、ＣＰＵ１０３は、落書き処理（編集処理）を開始する（ステップＳ３１３）。ＣＰＵ１０３は、図１８に示すような編集画面４１０を編集用ディスプレイ４１１に表示させる。
【０１２８】
編集画面４１０は、図１８に示すように、編集領域４１０１Ａ，４１０１Ｂと、合成画像表示領域４１０２Ａ，４１０２Ｂと、編集ツール選択タブ４１０３Ａ，４１０３Ｂと、編集ツール表示領域４１０４Ａ，４１０４Ｂと、名前表示領域４１０５と、ＥＮＤボタン４１０６Ａ，４１０６Ｂと、を含む。背景画像選択処理（ステップＳ１１４）において、利用者が「アニバーサリー」セット又は「バースデー」セットを選択した場合は、編集画面４１０には、日付表示領域４１０７も表示される。
【０１２９】
初期状態では、合成画像表示領域４１０２Ａ，４１０２Ｂには、それぞれ、ステップＳ２１９で生成された６枚の通常写真画像が表示され、通常写真画像のうちの１枚が編集領域４１０１Ａ，４１０２Ｂに表示されている。編集領域４１０１Ａ，４１０２Ｂには、通常写真画像を元にクロマキー処理された被写体画像の下に、通常写真画像に対応する背景画像が重ねて表示されている。利用者は、画面に向かって左側のタッチペン４１２（図４）を用いて、編集領域４１０１Ａの通常写真画像に対応する編集画像を生成することができる。また、利用者は、画面に向かって右側のタッチペン４１２（図４）を用いて、編集領域４１０２Ｂの通常写真画像に応じた編集画像を生成することができる。合成画像表示領域４１０２Ａの画像のうちの１枚に利用者が左側のタッチペン４１２でタッチすると、タッチされた画像が編集領域４１０１Ａに表示される。合成画像表示領域４１０２Ｂの画像のうちの１枚に利用者が右側のタッチペン４１２でタッチすると、タッチされた画像が編集領域４１０２Ｂに表示される。
【０１３０】
編集ツール表示領域４１０４Ａ，４１０４Ｂには、それぞれ、選択された編集ツール選択タブ４１０３Ａ，４１０３Ｂに応じた編集ツール画像４１０８が表示される。例えば、「ＳＰＥＣＩＡＬ（おすすめ）」タブが選択された場合、編集ツール表示領域４１０４Ａ，４１０４Ｂに、名前入力処理（ステップＳ１１３）で入力された利用者名に基づいてＣＰＵ１０３が作成した編集ツール画像４１０８が表示される。特に図示しないが、背景画像選択処理（ステップＳ１１４）で利用者が「アニバーサリー」セット又は「バースデー」セットを選択した場合、編集ツール表示領域４１０４Ａ，４１０４Ｂには、日付入力処理（ステップＳ１１６、Ｓ１１８、又はＳ１２０）で入力された日付に基づいてＣＰＵ１０３が作成した編集ツール画像４１０８を表示させることができる。
【０１３１】
名前表示領域４１０５には、初期状態では、名前入力処理（ステップＳ１１３）で入力された名前が表示されている。編集画面４１０に日付表示領域４１０７が表示されている場合、日付表示領域４１０７には、初期状態では、日付入力処理（ステップＳ１１６、Ｓ１１８、又はＳ１２０）で入力された日付が表示されている。
【０１３２】
ここで、編集画面４１０上で名前を修正する処理について説明する。背景画像選択処理（ステップＳ１１４）において、利用者が「アニバーサリー」セット又は「バースデー」セットを選択した場合は、編集画面４１０上で日付を修正することもできる。ただし、日付の修正処理は名前の修正処理とほぼ同様であるので説明を省略する。
【０１３３】
画面右側の利用者が「修正する」ボタン４１０９Ｂをタッチペン４１２でタッチすると、図１９に示すように、編集画面４１０の右側に名前修正領域４１１０Ｂが表示される。名前修正領域４１１０Ｂには、特に図示しないが、名前の再入力が可能なよう、例えば、名前入力画面３１０（図８）のような名前入力欄、入力パレット、及び「決定」ボタン等が表示される。なお、名前修正領域４１１０Ｂにおいて、一方の利用者名のみを修正することができてもよいし、両方の利用者名を修正することができてもよい。なお、図１９では、名前画像を含む背景画像のことを「ネーム背景」と称している。また、名前画像を含むスタンプ画像のことを「ネームスタンプ」と称している。
【０１３４】
利用者が名前修正領域４１１０Ｂで名前を修正し、タッチペン４１２で「決定」ボタン（図示省略）にタッチすると、名前修正領域４１１０Ｂが閉じられ、図１８の編集画面４１０の状態に戻る。このとき、図１９に示すように、編集領域４１０１Ａ，４１０２Ｂの通常写真画像のネーム背景には、まだ名前の修正が反映されていない。
【０１３５】
ＣＰＵ１０３は、ネーム背景やネームスタンプに対し、修正された名前を反映させる。
【０１３６】
その後、ＣＰＵ１０３は、図１９に示すように、編集画面４１０の編集領域４１０１Ａ，４１０２Ｂの近傍に、名前が修正された旨のメッセージ画像４１１１Ａ，４１１１Ｂを表示させる。
【０１３７】
メッセージ画像４１１１Ａ，４１１１Ｂが利用者によってタッチされると、編集領域４１０１Ａ，４１０２Ｂには、名前の修正を反映させたネーム背景が表示される。図１９の例では、編集画面４１０の左側のメッセージ画像４１１１Ａがタッチされ、編集領域４１０１Ａに名前の修正が反映されたネーム背景が表示されている。修正前のネームスタンプが既に編集画像として入力されている場合、編集領域４１０１Ａ，４１０２Ｂにおいて、名前の修正を反映させたネーム背景上に、修正前のネームスタンプが重ねて表示される。また、編集ツール表示領域４１０４Ａ，４１０４Ｂの各編集ツール画像４１０８にも名前の修正が反映される。ただし、入力済みの編集画像に含まれている編集ツール画像には、名前の修正は反映されない。本実施形態では、ステップＳ１１３で入力した利用者名のみ修正することができ、ステップＳ１２０で入力した第三者名を修正することはできない。
【０１３８】
編集画面４１０で利用者が「ＥＮＤ」ボタン４１０６にタッチするか、あるいは、所定の制限時間が経過すると、ＣＰＵ１０３は、編集画面４１０を閉じ、落書き処理を終了する。
【０１３９】
そして、ＣＰＵ１０３は、「通常撮影」及び「空間撮影」の通常写真画像ごとに、背景画像及び落書き処理で生成された編集画像を合成し、通常合成画像を生成する（ステップＳ３１４）。
【０１４０】
詳述すると、ＣＰＵ１０３は、「通常撮影」及び「空間撮影」の各通常写真画像から被写体の領域を抽出し、背景が透明な被写体画像を生成する。背景画像選択処理（ステップＳ１１４）で背景画像セットが選択されている場合、ＣＰＵ１０３は、「通常撮影」及び「空間撮影」の各通常写真画像から生成された各被写体画像と、選択された背景画像セットに含まれる各通常背景画像とを合成する。背景画像選択処理（ステップＳ１１４）で個別の背景画像が選択された場合、ＣＰＵ１０３は、「通常撮影」及び「空間撮影」の各通常写真画像から生成された各被写体画像と、個々に選択された各背景画像とを合成する。背景画像が名前画像を含むものである場合、名前入力処理（ステップＳ１１３）で入力された名前を背景画像に反映させた上で、背景画像と「通常撮影」及び「空間撮影」の各被写体画像とを合成する。さらに、落書き処理で生成された編集画像を合成し、６枚の通常合成画像を生成する。
【０１４１】
「通常撮影」及び「空間撮影」の被写体画像の画像サイズは、これと合成される背景画像の画像サイズと等しい。なお、必要に応じて、背景画像とデザイン的に統一感がある、対応したフレーム画像を被写体画像の前景に合成してもよい。上述の名前画像、日付画像は、被写体画像に隠れないようにするため、このフレーム画像に含まれるようにしてもよい。
【０１４２】
（シート画像生成処理）
次に、ＣＰＵ１０３は、シート画像を生成する（ステップＳ３１５）。図２０はシート画像生成処理を表すフローチャートである。
【０１４３】
図２０に示すように、写真画像生成処理において「特別撮影」の「フロート撮影」が行われた場合（ステップＳ３１５１でＹｅｓの場合）、ＣＰＵ１０３は、編集用ディスプレイ４１１に名前確認画面（図示省略）を表示する（ステップＳ３１５２）。名前確認画面では、「フロート撮影」の写真画像に配置する名前の位置を利用者に確認させ、必要に応じて名前の配置を変更させる。例えば、利用者は、名前確認画面での操作によって名前の配置を左右入れ替えることができる。
【０１４４】
次に、ＣＰＵ１０３は、ＨＤＤ１０４のシートデザイン画像の中から、「イベント」セット、「バースデー」セット、及び「アニバーサリー」セット用のシートデザイン画像を選択する（ステップＳ３１５３）。本実施形態では、「イベント」セット、「バースデー」セット、及び「アニバーサリー」セット用のシートデザイン画像は、共通であり、「フロート撮影」用のシートデザイン画像として予め定められているものである。なお、本実施形態では、「イベント」セット、「バースデー」セット、及び「アニバーサリー」セット用のシートデザイン画像は、横よりも縦が長い長方形をなす。ただし、シート画像の形状は、これに限定されず、縦よりも横が長い長方形等であってもよい。
【０１４５】
ＣＰＵ１０３は、「フロート撮影」の特別写真画像から被写体画像を生成する（ステップＳ３１５４）。ＣＰＵ１０３は、この被写体画像、ステップＳ３１５３で決定されたシートデザイン画像、及びステップＳ３１５３以前の処理で生成されている各画像を基に、「イベント」セット、「バースデー」セット、及び「アニバーサリー」セット用のシート画像を生成する（ステップＳ３１５５）。
【０１４６】
背景画像選択処理（ステップＳ１１４）において「イベント」セット、「バースデー」セット、又は「アニバーサリー」セットが選択され、写真画像生成処理において「フロート撮影」が行われた場合（ステップＳ２１６２でＹｅｓの場合）、選択された背景画像セットに対応するシート画像にのみ「フロート撮影」の特別写真画像が含まれる。以下、背景画像選択処理（ステップＳ１１４）で「バースデー」セットが選択され、且つ写真画像生成処理において「フロート撮影」が行われた場合（ステップＳ２１６２でＹｅｓの場合）を例にとって説明する。
【０１４７】
まず、「バースデー」セット用のシート画像の生成方法について説明する。ＣＰＵ１０３は、「フロート撮影」の特別写真画像から被写体の領域を抽出し、背景が透明な被写体画像を生成する（ステップＳ３１５４）。ＣＰＵ１０３は、図２１に示すように、ステップＳ３１５３で決定されたシートデザイン画像Ｐ１の特別領域Ｅ１上に、「バースデー」セットに応じた特別背景画像Ｐ２、特別背景画像Ｐ２上に被写体画像Ｐ３、被写体画像Ｐ３上に「バースデー」セットに応じた装飾画像Ｐ４を重ねて配置し、合成する。これにより、「バースデー」セット用のシート画像が生成される（ステップＳ３１５５）。なお、特別背景画像Ｐ２及び装飾画像Ｐ４は、ステップＳ２１６４及びＳ２１６５で決定されている。
【０１４８】
特別背景画像Ｐ２及び装飾画像Ｐ４の画像サイズは、被写体画像Ｐ３の画像サイズよりも大きい。特別背景画像Ｐ２の画像サイズは、装飾画像Ｐ４の画像サイズと等しい。写真シールの印刷時において、特別背景画像Ｐ２及び装飾画像Ｐ４の画像サイズは、横２３６８ピクセル×縦１８９４ピクセルであり、被写体画像Ｐ３の画像サイズは、横１２４０ピクセル×縦１５５０ピクセル（横：縦＝１：１．２５）である。特別背景画像Ｐ２上の被写体画像Ｐ３の位置は、特に限定されるものではないが、例えば、特別背景画像Ｐ２の左下の角に被写体画像Ｐ３の左下の角を合わせたり（図２２Ａ）、特別背景画像Ｐ２の下辺中点に被写体画像Ｐ３の下辺の中点を合わせたり（図２２Ｂ）、特別背景画像Ｐ２の右下の角に被写体画像Ｐ３の右下の角を合わせたり（図２２Ｃ）、特別背景画像Ｐ２の中心に被写体画像Ｐ３の中心を合わせたり（図２２Ｄ）することが考えられる。
【０１４９】
利用者名又は第三者名を含む名前画像がシートデザイン画像Ｐ１、特別背景画像Ｐ２、又は特別背景画像Ｐ３に含まれる場合、シートデザイン画像Ｐ１、特別背景画像Ｐ２、又は特別背景画像Ｐ３には、ステップＳ１１３で入力され若しくはステップＳ３１３で修正された利用者名、又はステップＳ１２０で入力された第三者名が反映される。日付を含む日付画像がシートデザイン画像Ｐ１、特別背景画像Ｐ２、又は特別背景画像Ｐ３に含まれる場合、シートデザイン画像Ｐ１、特別背景画像Ｐ２、又は特別背景画像Ｐ３には、ステップＳ１１６、Ｓ１１８、若しくはＳ１２０で入力され又はステップＳ３１３で修正された日付が反映される。
【０１５０】
装飾画像Ｐ３は、文字列画像、図形画像、又は吹き出し画像等を含む。特別背景画像Ｐ３が吹き出し画像を含む場合、吹き出し画像のうち被写体画像上に配置される部分が透過性となるように画像処理が施される。
【０１５１】
次に、ＣＰＵ１０３は、シートデザイン画像Ｐ１の通常領域Ｅ２（図２１）に、ステップＳ３１４で生成した６枚の通常合成画像を配置する。これにより、「バースデー」セット用のシート画像が生成される。
【０１５２】
なお、シートデザイン画像Ｐ１では、通常領域Ｅ２の上方に特別領域Ｅ１が配置されているが、シートデザイン画像上における特別領域及び通常領域の位置は、特に限定されるものではない。例えば、シートデザイン画像上において、通常領域の下方に特別領域が配置されてもよいし、通常領域を２分割し、通常領域の間に特別領域が配置されてもよい。
【０１５３】
「イベント」セット用及び「アニバーサリー」セット用のシート画像は、それぞれ、「バースデー」セットと共通のシートデザイン画像Ｐ１上において、ステップＳ３１４で生成した６枚の通常合成画像のうち１枚を、画像サイズを大きくして特別領域Ｅ１に配置し、６枚の通常合成画像を通常領域Ｅ２に配置することによって生成される。
【０１５４】
背景画像選択処理（ステップＳ１１４）において「イベント」セット、「バースデー」セット、又は「アニバーサリー」セットが選択されなかった場合は、「イベント」セット、「バースデー」セット、及び「アニバーサリー」セット用のシート画像は、いずれも、シートデザイン画像Ｐ１上において、ステップＳ３１４で生成した６枚の通常合成画像のうち１枚を、画像サイズを大きくして特別領域Ｅ１に配置し、６枚の通常合成画像を通常領域Ｅ２に配置することによって生成される。
【０１５５】
図２０に戻ってシート画像生成処理の説明を続ける。ＣＰＵ１０３は、ＨＤＤ１０４のシートデザイン画像の中から複数の「２人」用及び「３人以上」用のシートデザイン画像を選択する（ステップＳ３１５６）。複数のシートデザイン画像には、縦長の長方形のものと、横長の長方形のものが混在している。ＣＰＵ１０３は、選択されたシートデザイン画像上の所定の位置に、ステップＳ３１４で生成した通常合成画像を配置することによって、シート画像を生成する（ステップＳ３１５７）。「２人」用のシートデザイン画像の中には、「フロート撮影」用のシートデザイン画像が存在する。写真画像生成処理において「フロート撮影」が行われた場合（ステップＳ２１６２でＹｅｓの場合）、「フロート撮影」用のシートデザイン画像上の所定の位置には、ステップＳ２１６６で決定された背景画像、「フロート撮影」の特別写真画像をクロマキー処理した被写体画像、及びステップＳ２１６６で決定された装飾画像が重ねて配置される。
【０１５６】
（シートレイアウト選択処理）
図１７に戻って画像編集処理の説明を続ける。ＣＰＵ１０３は、次に、生成したシート画像の中からシール紙に印刷するシート画像を利用者に選択させる処理を行う。すなわち、ＣＰＵ１０３は、所望のシートレイアウトを利用者に選択させる（ステップＳ３１６）。
【０１５７】
ＣＰＵ１０３は、まず、図２３Ａ〜図２３Ｃ及び図２４Ａ〜図２４Ｄに示すようなシートレイアウト選択画面４２０を編集用ディスプレイ４１１に表示させる。
【０１５８】
シートレイアウト選択画面４２０は、図２３Ａに示すように、シートレイアウト表示領域４２０１と、「イベント」タブ４２０２と、「２人用」タブ４２０３と、「多分割」タブ４２０４と、を含む。
【０１５９】
（「イベント」シートレイアウトの選択操作）
背景画像選択処理（ステップＳ１１４）で「イベント」セット、「バースデー」セット、又は「アニバーサリー」セットが選択された場合、シートレイアウト選択画面４２０は、図２３Ａに示すように、「イベント」タブ４２０２が選択された状態で表示される。シートレイアウト選択画面４２０で「イベント」タブ４２０２が選択されている場合、シートレイアウト表示領域４２０１は、左側領域４２０１Ａと右側領域４２０１Ｂとに分割される。
【０１６０】
左側領域４２０１Ａ及び右側領域４２０１Ｂには、それぞれ、シート画像一覧４２０５と、プレビュー画像４２０４と、「ＯＫ」ボタン４２０６と、が表示される。シート画像一覧４２０５は、ステップＳ３１５５で生成された「バースデー」セットのシート画像４２０５Ａ、「アニバーサリー」セットのシート画像４２０５Ｂ、及び「イベント」セットのシート画像４２０５Ｃを含む。なお、図２３Ａは、背景画像選択処理（ステップＳ１１４）で「バースデー」セットを選択した場合のシートレイアウト選択画面４２０の初期表示例であるので、「バースデー」セットのシート画像４２０５Ａがプレビュー画像４２０４として拡大表示されている。
【０１６１】
利用者は、画面に向かって左側のタッチペン４１２で左側領域４２０１Ａをタッチすることによって、左側領域４２０１Ａで、所望のシートレイアウトのシート画像の選択をすることができる。また、利用者は、画面に向かって右側のタッチペン４１２で右側領域４２０１Ｂをタッチすることで、右側領域４２０１Ｂで、所望のシートレイアウトのシート画像の選択をすることができる。
【０１６２】
シート画像一覧４２０５において、背景画像選択処理（ステップＳ１１４）で選択されなかった背景画像セットに対応するシート画像を利用者が選択した場合、利用者は、選択したシート画像上で大きく表示させる画像を選択することができる。例えば、図２３Ｂに示すように、利用者が右側のタッチペン４１２で右側領域４２０１Ｂの「アニバーサリー」セットのシート画像４２０５Ｂ又は「イベント」セットのシート画像４２０５Ｃをタッチした場合、右側領域４２０１Ｂには画像選択領域４２０７が表示される。画像選択領域４２０７には、ステップＳ３１４で生成された複数の通常合成画像が表示される。利用者は、画像選択領域４２０７上で所望の画像にタッチすることにより、選択されたシート画像４２０５Ｂ又は４２０５Ｃ上で大きく表示させる画像を選択することができる。利用者が画像選択領域４２０７上で所望の画像にタッチすると、画像選択領域４２０７は閉じられる。そして、選択されたシート画像４２０５Ｂ又は４２０５Ｃがプレビュー画像４２０４として表示されるとともに、選択されたシート画像４２０５Ｂ又は４２０５Ｃにおいて、画像選択領域４２０７上でタッチされた画像が拡大されて所定の位置に配置される。
【０１６３】
利用者は、左側領域４２０１Ａ及び右側領域４２０１Ｂのそれぞれで、所望のシート画像を選択した後、「ＯＫ」ボタン４２０６をタッチする。図２３Ｃは、利用者が左側のタッチペン４１２で左側領域４２０１Ａの「ＯＫ」ボタン４２０６をタッチした例である。このとき、左側領域４２０１Ａで「イベント」用のシートレイアウトの選択が確定したため、「多分割」タブ４２０４は非表示となる。また、右側領域４２０１Ｂにおけるシート画像の選択が終了していない場合、図２３Ｃに示すように、左側領域４２０１Ａには、待機を求めるメッセージ４２１６が表示される。右側領域４２０１Ｂでのシートレイアウトの選択も確定すると、ＣＰＵ１０３は、シートレイアウト選択画面４２０を閉じ、シートレイアウトの選択の受付を終了する。
【０１６４】
（「２人用」シートレイアウトの選択操作）
図２４Ａに示すように、「２人用」タブ４２０３が選択された場合、シートレイアウト表示領域４２０１は、「イベント」タブ４２０２が選択された場合と同様、左側領域４２０１Ａと右側領域４２０１Ｂとに分割される。利用者は、画面に向かって左側のタッチペン４１２を用いて左側領域４２０１Ａを、画面に向かって右側のタッチペン４１２を用いて右側領域４２０１Ｂを操作することができる。
【０１６５】
「２人用」タブ４２０３が選択された場合、まず、図２４Ａの左側領域４２０１Ａに示されるように、シート画像一覧４２０８が表示される。シート画像一覧４２０８は、ステップＳ３１５７で生成された「２人」用の複数のシート画像を含んでいる。シート画像一覧４２０８には、縦長の長方形をなすシート画像と、横長の長方形をなすシート画像とが含まれる。
【０１６６】
利用者は、シート画像一覧４２０８に表示されたシート画像のうちの１つにタッチペン４１２でタッチすることによって、所望のシートレイアウトのシート画像を選択する。図２４Ａは、右側領域４２０１Ｂに表示されたシート画像一覧４２０８のシート画像の１つに利用者がタッチペン４１２でタッチした後の表示例である。右側領域４２０１Ｂにおいて、シート画像一覧４２０８のシート画像を利用者が選択すると、図２４Ａに示すように、選択されたシート画像のプレビュー画像４２０９が右側領域４２０１Ｂの中央付近に大きく表示される。図２４Ａでは、縦長のシート画像がプレビュー画像４２０９として表示されている。プレビュー画像４２０９の上方には、サムネイル画像４２１０が表示される。サムネイル画像４２１０は、シート画像一覧４２０８の各シート画像に対応するシートデザイン画像を縮小表示したものである。プレビュー画像４２０９に対応するサムネイル画像４２１０上には、選択中であることを示す選択表示４２１１が表示されている。
【０１６７】
図２４Ｂは、左側領域４２０１Ａに表示されたシート画像一覧４２０８（図２４Ａ）のシート画像の１つに利用者がタッチペン４１２でタッチした後の表示例である。左側領域４２０１Ａにおいて、シート画像一覧４２０８のシート画像に利用者がタッチすると、図２４Ｂに示すように、選択されたシート画像のプレビュー画像４２０９が左側領域４２０１Ａの中央付近に大きく表示される。図２４Ｂの左側領域４２０１Ａでは、横長のシート画像がプレビュー画像４２０９として表示されている。
【０１６８】
ここで、選択されたシート画像のシートレイアウトが通常合成画像のうちの一枚を大きくするものである場合、図２４Ｃに示すように、画像選択領域４２０７が表示される。利用者が画像選択領域４２０７で所望の画像にタッチすると、画像選択領域４２０７は閉じられる。そして、画像選択領域４２０７上でタッチされた画像が拡大されてシート画像の所定の位置に配置される。
【０１６９】
シート画像一覧４２０８からシート画像を選択すると、プレビュー画像４２０９及びサムネイル画像４２１０とともに、「戻る」ボタン４２１２、「ＯＫ」ボタン４２１３、左矢印４２１４、及び右矢印４２１５が表示される。
【０１７０】
利用者が左矢印４２１４にタッチすると、選択表示４２１１が現在のサムネイル画像４２１０上から左隣のサムネイル画像４２１０上に移動し、移動後のサムネイル画像４２１０に対応するシート画像がプレビュー画像４２０９として表示される。利用者が右矢印４２１５にタッチすると、選択表示４２１１が現在のサムネイル画像４２１０上から右隣のサムネイル画像４２１０上に移動し、移動後のサムネイル画像４２１０に対応するシート画像がプレビュー画像４２０９として表示される。
【０１７１】
利用者が「戻る」ボタン４２１２にタッチすると、シート画像一覧４２０８が再度表示される。
【０１７２】
利用者が「ＯＫ」ボタン４２１３にタッチすると、他方の利用者のレイアウト選択操作が終了していない場合は、図２４Ｄに示すように、待機を求めるメッセージ４２１６が表示され、「多分割」タブ４２０４が非表示となる。左側領域４２０１Ａ及び右側領域４２０１Ｂ双方でのシートレイアウトの選択が確定すると、ＣＰＵ１０３は、シートレイアウト選択画面４２０を閉じ、シートレイアウトの選択の受付を終了する。
【０１７３】
（「多分割」シートレイアウトの選択操作）
「多分割」タブ４２０４が選択された場合は、特に図示しないが、「イベント」タブ４２０２又は「２人用」タブ４２０２が選択された場合と異なり、シートレイアウト表示領域４２０１は左右に分割されない。シートレイアウト表示領域４２０１には、ステップＳ３１５７で生成された「３人以上」用のシート画像を含むシート画像一覧と、シート画像一覧のシート画像のうち１つを拡大したプレビュー画像と、が表示される。例えば、シート画像一覧がシートレイアウト表示領域４２０１の右半分に、プレビュー画像がシートレイアウト表示領域４２０１の左半分に表示される。「多分割」タブ４２０４が選択された場合、利用者は、２つのタッチペン４１２の双方を使用して、シート画像一覧から所望のシート画像を選択することができる。利用者が「ＯＫ」ボタンをタッチすること等によってシート画像の選択が終了すると、ＣＰＵ１０３は、シートレイアウト選択画面４２０を閉じ、シートレイアウトの選択の受付を終了する。
【０１７４】
なお、本実施形態では、シート画像一覧４２０５，４２０８にはシート画像を表示するものとしているが、各画像と合成する前のシートデザイン画像をシート画像一覧４２０５，４２０８に表示してもよい。この場合、シートレイアウト選択処理（ステップＳ３１６）の前にシート画像生成処理（ステップＳ３１５）を行わず、プレビュー画像４２０６，４２０９を表示するタイミングでシート画像を生成すればよい。
【０１７５】
図１７に戻って画像編集処理の説明を続ける。シートレイアウトの選択後、ＣＰＵ１０３は、事後接客部５が空いているか否かを判断する（ステップＳ３１７）。事後接客部５が空いていない場合（ステップＳ３１７でＮｏの場合）、ＣＰＵ１０３は、利用者に対して待機を求める画面（図示省略）を編集用ディスプレイ４１１に表示させる（ステップＳ３１８）。事後接客部５が空いている場合（ステップＳ３１７でＹｅｓの場合）、ＣＰＵ１０３は、選択されたシート画像をプリンタ６５０に送信し、印刷を開始する（ステップＳ３１９）。そして、ＣＰＵ１０３は、利用者を事後接客部５へ誘導する画面（図示省略）を編集用ディスプレイ４１１に表示させる（ステップＳ３２０）。また、ＣＰＵ１０３は、利用者を事後接客部５へ誘導する音声をスピーカ４１３から出力させてもよい。
【０１７６】
（事後接客処理）
次に、事後接客処理（ステップＳ４０）について説明する。図２５は事後接客処理を表すフローチャートである。
【０１７７】
ＣＰＵ１０３は、開始画面を受付用ディスプレイ５１に表示する。編集ブースから移動してきた利用者が画面を指でタッチすると、画像送信処理が開始される（ステップＳ５１１）。また、ＣＰＵ１０３は、操作に必要な音声をスピーカ５３に出力する。
【０１７８】
画像送信処理が開始されると、ＣＰＵ１０３は、利用者の端末装置に送信するための画像を選択する画面を受付用ディスプレイ５１に表示する。選択する画面には、ステップＳ３１４で生成された６枚の通常合成画像、及び「特別撮影」で「フロート撮影」を選択した場合は「フロート撮影」の合成画像、又は「特別撮影」で「斜光おしゃ撮」を選択した場合は「斜光おしゃ撮」の合成画像が表示される。表示される画像のうち、利用者が所望の画像をタッチすることにより選択を受け付ける。
【０１７９】
次に、ＣＰＵ１０３は、画像を取得するためのＵＲＬが記載された通知メールを受け取るため、メールアドレスを入力する画面を受付用ディスプレイ５１に表示する。画面の案内に従い、利用者はメールアドレスを入力し決定する。
【０１８０】
次に、ＣＰＵ１０３は、６枚の通常合成画像、「特別撮影」の選択に応じて「フロート撮影」の合成画像、又は「斜光おしゃ撮」の合成画像を、利用者が入力したメールアドレス及び選択した画像の情報とともにサーバ（図示省略）に送信する。これを受けて、サーバは、入力されたメールアドレス宛てに、画像を取得するためのＵＲＬが記載されたメールを送信する。
【０１８１】
利用者は受信したメールに記載されたＵＲＬにアクセスすることにより、選択した１枚の合成画像を所得することができる。また、所定の会員登録をすることにより、選択しなかった画像すべてを取得することができる。
【０１８２】
印刷処理（ステップＳ３１９）が開始され、印刷が終了する待ち時間に、このような事後接客処理が実行され、シート画像が印刷されたシール紙（写真シール）が写真シール排出口５２から排出される（ステップＳ５１２）。ステップＳ３１５で「多分割」のシートレイアウトが選択された場合、１枚の写真シールが排出されるが、ステップＳ３１５で「イベント」用又は「２人」用のシートレイアウトが選択された場合は、印刷方向と垂直な方向に沿ってシール紙が半分に切断され、「多分割」の写真シールの半分の大きさの写真シールが２枚排出される。ここまでが、一組の利用者に対する一連のプレイである。
【０１８３】
ここで、図２６及び図２７に、完成した写真シールの例を示す。
【０１８４】
図２６は、背景画像選択処理（ステップＳ１１４）で「バースデー」セットが選択された場合であって、「フロート撮影」が行われた場合（ステップＳ２１６２でＹｅｓの場合）に作成される写真シールＳ１である。写真シールＳ１の上部には、「バースデー」セットに応じた特別背景画像及び装飾画像を含む画像Ｆ１が印刷されている。画像Ｆ１には、吹き出し画像Ｂ１が含まれている。吹き出し画像Ｂ１は、ステップＳ１１８又はＳ１２０で入力された誕生日の日付（図２６の例では「２０１３．１２．２４」）を含む日付画像を含んでいる。吹き出し画像Ｂ１は、利用者以外の第三者名を含むメッセージ画像（図２６の例では「Ｔｏ  Ｌｉｎａ」）も含む。また、吹き出し画像Ｂ１は、被写体画像Ｕ１上に配置される部分が透過性となっている。写真シールＳ１の画像Ｆ１の下方には、「バースデー」セットの背景画像を含む、複数の通常合成画像Ｎ１が印刷されている。
【０１８５】
図２７は、背景画像選択処理（ステップＳ１１４）で「アニバーサリー」セットが選択された場合であって、「フロート撮影」が行われた場合（ステップＳ２１６２でＹｅｓの場合）に作成される写真シールＳ２である。写真シールＳ２の上部には、「アニバーサリー」セットに応じた特別背景画像及び装飾画像を含む画像Ｆ２が印刷されている。画像Ｆ２には、吹き出し画像Ｂ２が含まれている。吹き出し画像Ｂ２は、ステップＳ１１３で入力され又はＳ３１３で修正された利用者名（図２７の例では「Ａｍｉｎ」及び「Ｍｉｋｉｐｕ」）を含む名前画像と、ステップＳ１１６で入力された記念日の日付（図２７の例では「２０１３．１２．２４」）を含む日付画像を含んでいる。また、吹き出し画像Ｂ２は、吹き出し画像Ｂ１と同様、被写体画像Ｕ２上に配置される部分が透過性となっている。写真シールＳ２の画像Ｆ２の下方には、「アニバーサリー」セットの背景画像を含む、複数の通常合成画像Ｎ２が印刷されている。
【０１８６】
以上のように、本実施形態の写真撮影遊戯機１は、利用者の操作に応じて、「イベント」セット、「バースデー」セット、又は「アニバーサリー」セット等のテーマに対応する背景画像セットを選択したときに、選択された背景画像セットのテーマに応じた特別合成用画像を決定する。このため、写真撮影遊戯機１によれば、全体的に統一感を有し、デザイン性に優れた写真シールを容易に作成することができる。このような写真シールは、特別な日の思い出として残すのに相応しく、特別な日の記念として写真撮影遊戯機１を利用する利用者を十分に満足させることができる。
【０１８７】
写真撮影遊戯機１は、「特別撮影」の被写体画像及び特別背景画像を利用者が編集することができないように構成されているため、編集処理によって写真シールのデザイン性が損なわれることがない。このため、写真撮影遊戯機１によれば、高いデザイン性を維持した写真シールを作成することができる。
【０１８８】
写真撮影遊戯機１によって作成される写真シールにおいて、選択された背景画像セットに応じた装飾画像は、被写体画像上に配置される。また、吹き出し画像は、被写体画像上に配置される部分が透過性である。このため、写真撮影遊戯機１によって作成される写真シールでは、吹き出し画像を含む装飾画像が浮いているように見え、結果として、写真シール全体としてのデザイン性を向上させることができる。
【０１８９】
写真撮影遊戯機１が作成する写真シールには、利用者が入力した利用者名や、第三者名、記念日の日付等が反映されるため、写真シールの独自性を高めることもできる。
【０１９０】
以上、本発明の実施形態について説明したが、本発明は上記実施形態に限定されるものではなく、その趣旨を逸脱しない限りにおいて、種々の変更が可能である。
【０１９１】
例えば、上記実施形態では、写真画像生成処理（ステップＳ２０）において利用者が「２人撮影」の画角を選択した場合、常に、「フロート撮影」及び「斜光おしゃ撮」のいずれかを利用者に選択させることとしていたが、これに限定されるものではない。事前接客処理（ステップＳ１０）において利用者が「イベント」セット、「バースデー」セット、又は「アニバーサリー」セットを選択した場合、「フロート撮影」及び「斜光おしゃ撮」のいずれを行うかを利用者に選択させることなく、自動的に「フロート撮影」を行うこととしてもよい。
【０１９２】
また、上記実施形態においては、利用者が「イベント」セット、「バースデー」セット、及び「アニバーサリー」セットのいずれを選択した場合であっても、共通のシートデザイン画像を使用することとしていたが、選択した背景画像セットに応じてシートデザイン画像を決定してもよい。すなわち、「イベント」セット、「バースデー」セット、及び「アニバーサリー」セット等の背景画像セット毎に、使用するシートデザイン画像を変更してもよい。
【０１９３】
上記実施形態の写真撮影遊戯機１は、シートデザイン画像を自動的に決定していたが、利用者の選択に基づいてシートデザイン画像を決定するようにしてもよい。
【０１９４】
また、上記実施形態においては、シートデザイン画像上に、特別背景画像、「フロート撮影」の被写体画像、及び装飾画像を順に重ねて配置して合成していたが、特にこれに限定されるものではない。特別背景画像、「フロート撮影」の被写体画像、及び装飾画像を合成した後、合成後の画像をシートデザイン画像上に配置することもできる。なお、シートデザイン画像上には、特別背景画像及び「フロート撮影」の被写体画像のみを合成・配置し、装飾画像を配置しなくてもよい。
【０１９５】
上記実施形態においては、吹き出し画像は、被写体画像上に配置される部分が透過性であったが、この部分は透過性でなくてもよい。
【０１９６】
また、上記実施形態の写真撮影遊戯機１では、２人分の利用者名を入力させていたが、３人分以上の利用者名を入力させてもよい。３人分以上の利用者名を入力させるようにした場合は、「バースデー」セットが選択されたときに複数の利用者名を選択させるようにしてもよい。
【０１９７】
また、上記実施形態の写真撮影遊戯機１は、「バースデー」セットが選択された場合、１人分の第三者名を入力させるように構成されていたが、複数の第三者名を入力させるように構成されていてもよい。
【０１９８】
上記実施形態の写真撮影遊戯機１では、利用者名や第三者名の入力や選択、日付の入力を利用者にさせていたが、これらを省略することもできる。
【０１９９】
また、上記実施形態の写真撮影遊戯機１は、シートレイアウト選択において、「２人用」タブ４２０３が選択された場合、シート画像一覧４２０８が先に表示されるように構成されていたが、先にプレビュー画像４２０９を含む画面を表示し、「戻る」ボタン（レイアウト一覧表示ボタン）４２１２がタッチされた場合に、シート画像一覧４２０８を表示するようにしてもよい。
【符号の説明】
【０２００】
１      写真撮影遊戯機
２１    カメラ
１０３  ＣＰＵ
１０４  ＨＤＤ
１０５  メモリ 
【図１】
2015037308.tif 000003
【図２】
2015037308.tif 000004
【図３】
2015037308.tif 000005
【図４】
2015037308.tif 000006
【図５】
2015037308.tif 000007
【図６】
2015037308.tif 000008
【図７】
2015037308.tif 000009
【図８】
2015037308.tif 000010
【図９】
2015037308.tif 000011
【図１０】
2015037308.tif 000012
【図１１】
2015037308.tif 000013
【図１２】
2015037308.tif 000014
【図１３】
2015037308.tif 000015
【図１４】
2015037308.tif 000016
【図１５】
2015037308.tif 000017
【図１６】
2015037308.tif 000018
【図１７】
2015037308.tif 000019
【図１８】
2015037308.tif 000020
【図１９】
2015037308.tif 000021
【図２０】
2015037308.tif 000022
【図２１】
2015037308.tif 000023
【図２２Ａ】
2015037308.tif 000024
【図２２Ｂ】
2015037308.tif 000025
【図２２Ｃ】
2015037308.tif 000026
【図２２Ｄ】
2015037308.tif 000027
【図２３Ａ】
2015037308.tif 000028
【図２３Ｂ】
2015037308.tif 000029
【図２３Ｃ】
2015037308.tif 000030
【図２４Ａ】
2015037308.tif 000031
【図２４Ｂ】
2015037308.tif 000032
【図２４Ｃ】
2015037308.tif 000033
【図２４Ｄ】
2015037308.tif 000034
【図２５】
2015037308.tif 000035
【図２６】
2015037308.tif 000036
【図２７】
2015037308.tif 000037